(57)【要約】【課題】複数の映像供給機器と１つのモニター機器とが接続される場合において、１つの映像インターフェース装置で複数の信号伝送を実現することができる映像インターフェース装置を提供する。【解決手段】映像インターフェース装置において、映像制御情報メモリインターフェース部１４は、接続されている複数の映像供給機器から映像制御情報を取り込んで映像制御情報メモリ部１５へ書き込み、外部から入力される映像切り替え制御信号によってチャンネルが変わると、該映像切り替え制御信号に応じて必要な映像制御情報を前記映像制御情報メモリ部１５より読み出して映像信号処理部１６にて映像処理を行う。【選択図】　　　図１
2004040208.tif 000002
【特許請求の範囲】
【請求項１】
複数個の映像供給機器と１つのモニター機器とが接続され、前記複数個の映像供給機器から複数の映像信号、及び映像制御情報を受信する映像インターフェース装置において、
前記複数の映像信号を受け取り、入力処理を行う複数個の入力処理部と、
該入力処理部が入力処理した映像信号、及び外部から入力される映像切り替え制御信号を受け取り、該映像切り替え制御信号に対応する映像信号を選択し出力する映像信号選択部と、
前記複数の映像制御情報を保持する映像制御情報メモリ部と、
前記複数個の映像供給機器から送信される前記複数の映像制御情報を前記映像制御情報メモリ部に書き込み、また、前記映像切り替え制御信号に対応する映像制御情報を前記映像制御情報メモリ部より読み出し、出力する映像制御情報メモリインターフェース部と、
該映像制御情報メモリインターフェース部から送信される映像制御情報に基づいて、前記映像信号選択部から送信される前記映像信号の信号処理を行う映像信号処理部と、
を備えたことを特徴とする映像インターフェース装置。
【請求項２】
請求項１記載の映像インターフェース装置において、
前記複数個の映像供給機器と前記１つのモニター機器間における映像信号の伝送は、デジタル伝送である、
ことを特徴とした映像インターフェース装置。
【請求項３】
複数個の映像供給機器と１つのモニター機器とが接続され、前記複数個の映像供給機器から複数の映像信号、映像制御情報、及び映像暗号化鍵情報を受信する映像インターフェース装置において、
前記複数の映像信号にコピーガードが必要な場合、該複数の映像信号を受け取り、入力処理を行う複数個の入力処理部と、
該入力処理部が入力処理した映像信号、及び外部から入力される映像切り替え制御信号を受け取り、該映像切り替え制御信号に対応する映像信号を選択し出力する映像信号選択部と、
前記複数個の映像供給機器から複数の映像暗号化鍵情報を受け取り、該複数の映像暗号化鍵情報に基づいて、複数の映像復号化鍵情報を演算する複数の映像復号化鍵演算部と、
前記複数の映像制御情報、及び演算された前記複数の映像復号化鍵情報を保持する映像制御情報メモリ部と、
前記複数個の映像供給機器から送信される前記複数の映像制御情報、及び前記複数の映像復号化鍵演算部から送信される前記複数の映像復号化鍵情報を前記映像制御情報メモリ部に書き込み、また、前記映像切り替え制御信号に対応する前記映像制御情報、及び前記映像復号化鍵情報を前記映像制御情報メモリ部より読み出して出力する映像制御情報メモリインターフェース部と、
該映像制御情報メモリインターフェース部から送信される前記映像制御情報、及び前記映像復号化鍵情報に基づいて、前記映像信号選択部から送信される前記映像信号に対し暗号復号化処理を含む信号処理を行う映像信号処理部と、
を備えたことを特徴とする映像インターフェース装置。
【請求項４】
複数個の映像供給機器と１つのモニター機器とが接続され、前記複数個の映像供給機器から複数の映像信号、映像制御情報、及び映像暗号化鍵情報を受信する映像インターフェース装置において、
前記複数の映像信号にコピーガードが必要な場合、該複数の映像信号を受け取り、入力処理を行う複数個の入力処理部と、
該入力処理部が入力処理した映像信号、及び外部から入力される映像切り替え制御信号を受け取り、該映像切り替え制御信号に対応する映像信号を選択し出力する映像信号選択部と、
前記複数の映像制御情報を保持する映像制御情報メモリ部と、
前記複数個の映像供給機器から前記複数の映像暗号化鍵情報を受け取り、該複数の映像暗号化鍵情報に基づいて前記複数の映像復号化鍵情報を演算する１つの映像復号化鍵演算部と、
前記映像復号化部の動作のタイミングを水平同期信号に応じて制御し、該制御に関する情報を前記映像制御情報メモリインターフェース部へ出力する映像復号化鍵演算制御部と、
前記複数個の映像供給機器から送信される複数の映像制御情報、及び前記複数の映像復号化鍵演算部から送信される映像復号化鍵情報を、前記映像復号化鍵演算制御部からの許可信号に応じて入力し、前記映像制御情報メモリ部に書き込み、また、前記映像切り替え制御信号に応じて必要な映像制御情報と映像復号化鍵情報を映像制御情報メモリ部より読み出して出力する映像制御情報メモリインターフェース部と、
該映像制御情報メモリインターフェース部より送信される映像制御情報、及び映像復号化鍵情報に基づいて、前記映像信号選択部より送信される映像信号に対し暗号復号化処理を含む信号処理を行う映像信号処理部と、
を備えたことを特徴とする映像インターフェース装置。
【請求項５】
請求項４記載の映像インターフェース装置において、
前記モニター機器の該複数の画面に前記複数の映像供給機器からの映像信号を表示する場合、前記映像復号化鍵演算制御部は、映像表示期間以外のタイミングで映像復号化鍵演算を行うよう、前記映像復号化鍵演算部、及び前記映像制御情報メモリインターフェース部を制御する、
ことを特徴とする映像インターフェース装置。
【請求項６】
請求項１記載の映像インターフェース装置において、
複数個の映像供給機器との接続を判定し、該映像供給機器と接続された場合には接続信号を出力し、該映像供給機器と接続が外れた場合には非接続信号を出力する複数個の接続判定部を備え、
前記映像制御情報メモリインターフェース部は、前記接続判定部から出力される前記接続信号、及び前記非接続信号に応じて前記映像制御情報メモリ部に前記映像制御情報を書きこむアドレスを制御する、
ことを特徴とする映像インターフェース装置。
【請求項７】
請求項１記載の映像インターフェース装置において、
前記モニター機器に接続された前記複数個の映像供給機器からの映像信号の有無を判定し、該映像信号が流れている場合には接続信号を出力し、該映像信号が流れていない場合には非接続信号を出力する複数個の信号入力判定部を備え、
前記映像制御情報メモリインターフェース部は、前記信号入力判定部から出力される前記接続信号、及び前記非接続信号に応じて、前記映像制御情報メモリ部に書きこむアドレスを制御する、
ことを特徴とする映像インターフェース装置。
【請求項８】
請求項６記載の映像インターフェース装置において、
前記映像信号選択部は、前記接続判定部から出力された前記接続信号、及び前記非接続信号を入力し、前記映像切り替え制御信号によって、接続されていない映像供給機器による映像信号が選択された場合、映像信号の切り替えを行わず、現在表示されている映像信号を続けて出力する、
ことを特徴とする映像インターフェース装置。
【請求項９】
請求項６記載の映像インターフェース装置において、
前記映像信号選択部は、前記接続判定部から出力された前記接続信号、及び前記非接続信号を入力し、前記映像切り替え制御信号によって、接続されていない映像供給機器からの映像信号が選択された場合、次に接続されている映像供給機器による映像信号を検索し、該映像信号を出力する、
ことを特徴とする映像インターフェース装置。
【請求項１０】
請求項７記載の映像インターフェース装置において、
前記映像信号選択部は、前記入力信号入力判定部から出力された前記接続信号、及び前記非接続信号を入力し、前記映像切り替え制御信号によって、映像信号が流れていない映像供給機器による映像信号が選択された場合、映像信号の切り替えを行わず、現在表示されている映像信号を続けて出力する、
ことを特徴とする映像インターフェース装置。
【請求項１１】
請求項７記載の映像インターフェース装置において、
前記映像信号選択部は、前記信号入力判定部から出力された前記接続信号、及び前記非接続信号を入力し、前記映像切り替え制御信号によって、映像信号が流れていない映像供給機器による映像信号が選択された場合、次に映像信号が流れている映像供給機器による映像信号を検索し、該映像信号を出力する、
ことを特徴とする映像インターフェース装置。
【請求項１２】
１つの映像供給機器と複数個のモニター機器とが接続され、映像信号生成部で生成された映像信号を前記１つの映像供給機器から複数個のモニター機器へ送信する映像インターフェース装置において、
前記複数個のモニター機器から送信される複数個のモニター情報を保持するモニター情報メモリ部と、
前記複数個のモニター機器との接続を判定し、該接続に関する情報を出力する複数個の接続判定部と、
前記複数個の接続判定部から送信される該接続に関する情報に基づいて、接続されている複数のモニター機器からモニター情報を入力し、前記モニター情報メモリ部へ書き込み、また、必要なモニター情報を読み出して出力するモニター情報メモリインターフェース部と、
前記映像信号生成部によって生成された映像信号を受け取り、前記モニター情報メモリインターフェース部から出力されたモニター情報に基づいて、映像信号処理を行う複数個の映像信号処理部と、
該複数個の映像信号処理部からの映像信号を入力し、出力処理を行う出力処理部と、
を備えたことを特徴とする映像インターフェース装置。
【請求項１３】
請求項１２記載の映像インターフェース装置において、
１つの映像供給機器と複数個のモニター機器間における映像信号の伝送は、デジタル伝送である、
ことを特徴とした映像インターフェース装置。
【請求項１４】
１つの映像供給機器と複数個のモニター機器とが接続され、映像信号生成部で生成された映像信号を前記１つの映像供給機器から前記複数個のモニター機器へ送信する映像インターフェース装置において、
前記複数個のモニター機器からの複数個のモニター情報を保持するモニター情報メモリ部と、
前記複数個のモニター機器との接続を判定し、該接続に関する情報を出力する複数個の接続判定部と、
前記複数個のモニター機器より複数の映像暗号化鍵情報を受け取り、該複数の映像暗号化鍵情報に基づいて、前記複数の映像暗号化鍵情報を演算する１つの映像暗号化鍵演算部と、
前記映像暗号化鍵演算部の動作のタイミングを水平同期信号に応じて制御し、該制御に関する情報をモニター情報メモリインターフェース部へ出力する映像暗号化鍵演算制御部と、
前記複数個の接続判定部から送信される前記接続に関する情報に基づいて、接続されている前記複数のモニター機器からモニター情報を入力し、また、前記映像暗号化鍵演算部から送信される映像暗号化鍵情報を前記映像暗号化鍵演算制御部からの許可信号に応じて入力し、前記モニター情報メモリ部へ書き込み、また必要なモニター情報を読み出して出力するモニター情報メモリインターフェース部と、
前記映像信号生成部で生成された映像信号を入力し、前記モニター情報メモリインターフェース部から出力されたモニター情報に基づいて、映像信号処理を行う複数個の映像信号処理部と、
該複数個の映像信号処理部からの映像信号を入力し、出力処理を行う出力処理部とを備え、
前記映像暗号化鍵演算部は、前記モニター機器に接続された順にタイミングをずらして暗号化鍵を演算し、また、該タイミングをずらした時間に応じて暗号化や復号化の制御を行う、
ことを特徴とする映像インターフェース装置。
【請求項１５】
複数個の映像供給機器と１つのモニター機器とが接続され、前記複数個の映像供給機器から複数の映像信号、及び映像制御情報を送信される映像インターフェース装置において、
前記複数個の映像供給機器のうち、一部の映像供給機器より出力される映像信号にコピーガードが必要な場合、前記複数の映像信号を受け取り、入力処理を行う複数個の入力処理部と、
該入力処理部が入力処理した映像信号、及び外部から入力される映像切り替え制御信号を受け取り、該映像切り替え制御信号に対応する映像信号を選択し出力する映像信号選択部と、
前記複数の映像制御情報を保持する映像制御情報メモリ部と、
前記モニター機器が暗号に対応していない旨のメッセージ映像信号を生成するメッセージ生成部と、
前記複数個の映像供給機器のうち、コピーガードが必要な映像信号を出力する映像供給機器より送信される映像暗号化鍵情報を入力し、前記メッセージ生成部に映像信号を出力するように制御し、また、その情報を前記映像信号選択部へ送信する暗号非対応信号発信部と、
前記複数個の映像供給機器から送信されてくる複数の映像制御情報を入力し、前記映像制御情報メモリ部に書き込み、また、前記映像切り替え制御信号に応じて必要な映像制御情報を映像制御情報メモリ部より読み出して出力する映像制御情報メモリインターフェース部と、
該映像制御情報メモリインターフェース部より入力された映像制御情報に基づいて、前記映像信号選択部より入力される映像信号に対し信号処理を行う映像信号処理部を備え、
前記映像信号選択部は、コピーガードが必要な映像信号を出力する映像供給機器からの映像信号が選択された場合に、前記メッセージ生成部より送信された前記メッセージ映像信号を出力する、
ことを特徴とする映像インターフェース装置。
【請求項１６】
複数個の映像供給機器と１つのモニター装置とが接続され、前記複数個の映像供給機器から複数の映像信号、映像制御情報、及び映像暗号化鍵情報が送信される映像インターフェース装置において、
前記複数個の映像供給機器のうち、一部の映像供給機器より出力される映像信号にコピーガードが必要な場合、前記複数の映像信号を受け取り、入力処理を行う複数個の入力処理部と
該入力処理部が入力処理した映像信号、及び外部から入力される映像切り替え制御信号を受け取り、該映像切り替え制御信号に対応する映像信号を選択して出力する映像信号選択部と、
前記複数の映像制御情報を保持する映像制御情報メモリ部と、
前記複数個の映像供給機器のうち、コピーガードが必要な映像信号を出力する映像供給機器より送信される映像暗号化鍵情報を入力し、該映像暗号化鍵情報を前記映像信号選択部へ送信する暗号非対応信号発信部と、
前記複数個の映像供給機器から送信される複数の映像制御情報を入力し、前記映像制御情報メモリ部に書き込み、また、前記映像切り替え制御信号に応じて必要な映像制御情報を前記映像制御情報メモリ部より読み出し、出力する映像制御情報メモリインターフェース部と、
該映像制御情報メモリインターフェース部より入力された映像制御情報に基づいて、前記映像信号選択部より入力される映像信号に対し信号処理を行う映像信号処理部とを備え、
前記映像信号選択部は、コピーガードが必要な映像信号を出力する映像供給機器からの映像信号が選択された場合、映像信号の切り替えを行わず、現在表示されている映像信号を続けて出力する、
ことを特徴とする映像インターフェース装置。
【請求項１７】
請求項１６記載の映像インターフェース装置において、
前記映像信号選択部は、コピーガードが必要な映像信号を出力する映像供給機器からの映像信号が選択された場合、次に信号の入力がある映像供給機器を検索し、該映像供給機器からの映像信号を出力する、
ことを特徴とする映像インターフェース装置。
【請求項１８】
複数個の映像供給機器と１つのモニター装置とが接続され、前記複数個の映像供給機器から複数の映像信号、及び映像制御情報が送信される映像インターフェース装置において、
前記複数種類の映像信号を受け取り、入力処理を行う複数個の入力処理部と、
該入力処理部が入力処理した映像信号、及び外部から入力される映像切り替え制御信号を受け取り、該映像切り替え制御信号に対応する映像信号を選択し出力する映像信号選択部と、
前記複数の映像制御情報を保持する映像制御情報メモリ部と、
前記複数個の映像供給機器から送信される前記複数の映像制御情報を入力し、前記映像制御情報メモリ部に書き込み、また、前記映像切り替え制御信号に応じて必要な映像制御情報を前記映像制御情報メモリ部より読み出し、出力する映像制御情報メモリインターフェース部と、
前記モニター機器と接続された前記複数個の映像供給機器からの映像信号の有無を判定し、映像信号が流れている場合には接続信号を出力し、映像信号が流れていない場合には非接続信号を出力する複数個の信号入力判定部と、
前記映像制御情報メモリインターフェース部より入力された映像制御情報、及び前記信号入力判定部から入力された接続信号を入力し、映像信号処理群の中から必要な映像信号処理部を選択し、制御を行う映像信号処理選択部と、
該映像信号処理選択部からの制御信号に基づいて、前記映像信号選択部より入力される映像信号の信号処理を行う複数個の映像信号処理部を有する映像信号処理群とを備え、
前記映像信号処理選択部は、実際に使われていない前記映像信号処理部の動作を完全に停止する、
ことを特徴とする映像インターフェース装置。
【請求項１９】
１つの映像供給機器と複数個のモニター機器とが接続され、映像信号生成部で生成された映像信号を前記１つの映像供給機器から前記モニター機器へ送信する映像インターフェース装置において、
前記複数個のモニター機器からの複数個のモニター情報を保持するモニター情報メモリ部と、
前記複数個のモニター機器との接続を判定し、該接続に関する情報を出力する複数個の接続判定部と、
該複数個の接続判定部から送信される前記接続に関する情報に基づいて、接続されている前記複数のモニター機器からモニター情報を入力し、前記モニター情報メモリ部へ書き込み、また必要なモニター情報を読み出して出力するモニター情報メモリインターフェース部と、
映像供給機器からの映像信号の有無を判定し、映像信号が流れている場合には接続信号を出力し、映像信号が流れていない場合には非接続信号を出力する信号入力判定部と、
該モニター情報メモリインターフェース部より入力された前記モニター情報、及び前記信号入力判定部から入力された前記接続信号を入力し、映像信号処理群の中から必要な映像信号処理部を選択し、制御を行う映像信号処理選択部と、
前記映像信号生成部によって生成された映像信号を入力し、前記映像信号処理選択部からの制御信号に基づいて、映像信号処理を行う複数個の映像信号処理部を有する映像信号処理群と、
該映像信号処理群からの映像信号を入力し、出力処理を行う出力処理部とを備え、
前記映像信号処理選択部は、実際に使われていない前記映像信号処理部の動作を完全に停止する、
ことを特徴とする映像インターフェース装置。
【発明の詳細な説明】
【０００１】
【発明の属する技術分野】
本発明は、映像インターフェース装置に関し、映像供給機器とモニター機器とが接続され、映像供給機器からモニター機器へそれぞれの特徴を持つ映像信号が送信されているシステムにおいて、映像供給機器における映像信号送信用映像インターフェース装置及びモニター機器における映像信号受信用映像インターフェース装置に関するものである。
【０００２】
【従来の技術】
近年、様々な媒体（例えば、放送や磁気メディア、ディスクメディアなど）から映像を供給する映像供給機器が増え、また、モニター機器もデジタルモニターとして映像を移すだけのモニター機器が増えつつある。そのような中、複数の映像供給機器（セットトップボックス、ＤＶＤ、パソコンなど）と単一のモニター機器とを接続してチャンネルを切り替えながら映像鑑賞を行う、また逆に１つの映像供給機器から同じ映像を複数のモニター機器に供給して複数の人達が映像鑑賞を行うといった様々な使い方が考えられている。
【０００３】
ここで複数の映像供給機器からの映像信号を単一のモニター機器が受ける場合の、従来の映像インターフェース装置について図面を参照しつつ説明する。
図１７は、従来の映像インターフェース装置の構成例を示すブロック図である。
【０００４】
図１７において、１６０１〜１６０３は、例えば、ＢＳデジタル放送受信用のＳＴＢ（セットトップボックス）、ＤＶＤプレーヤー、デジタルＶＴＲといった第１〜第３の映像供給機器である。
１６０４は、複数の映像供給機器から映像信号を受け、ディスプレイへ画像を映すモニター機器である。
【０００５】
１６０５〜１６０７は、第１〜第３の映像供給機器１６０１〜１６０３で生成された映像信号Ａ〜Ｃとモニター機器１６０４とのやりとりで生成された暗号化鍵や画質補正情報などの映像制御情報Ａ〜Ｃを、前記モニター機器１６０４へ出力する第１〜第３の送信用映像インターフェース装置である。
１６０８は、前記第１の送信用映像インターフェース装置１６０５から出力された映像信号Ａや映像制御情報Ａを受けて必要な信号処理を行い、ディスプレイ装置へ出力する第１の受信用映像インターフェース装置である。
【０００６】
該第１の受信用映像インターフェース装置１６０８は、映像信号Ａを受けてシリアル／パラレル処理などを行う第１の入力処理部１６０９と、前記第１の送信用映像インターフェース装置１６０５からの映像制御情報Ａを受けて復号鍵生成などの処理を行う第１の映像制御情報インターフェース部１６１０と、該第１の映像制御情報インターフェース部１６１０から出力される映像制御情報に基づいて第１の入力処理部１６０９から得られる映像信号の信号処理を行い、出力する第１の映像信号処理部１６１１から構成されている。
また、第２、第３の受信用映像インターフェース装置１６１２、１６１６は、前記第１の受信用映像インターフェース装置１６０８と同様の構成である。
【０００７】
１６２０は、第１〜第３の受信用映像インターフェース装置１６０８、１６１２、１６１６から出力された映像信号を入力し、外部からの映像切り替え制御信号によって上記３つの映像信号から１つを選んで出力する映像信号選択装置である。
１６２１は、該映像信号選択装置１６２０からの出力を受けて、ＣＲＴやＬＣＤといったディスプレイに映像を表示するディスプレイ表示装置である。
【０００８】
このように構成された従来の受信用映像インターフェース装置について、動作を具体的な例を用いて説明する。
ここで第１の映像供給機器１６０１は、ＢＳデジタル放送のＳＴＢとする。
まず衛星から来る放送を受信し、ＭＰＥＧ２のデコード処理を行った後の映像信号が第１の送信用映像インターフェース装置１６０５へ入力される。
【０００９】
続いて、モニター機器１６０４と第１の映像供給機器１６０１とが接続され、該第１の送信用映像インターフェース装置１６０５は、例えば出力される映像信号は色差信号（Ｙ、Ｐｂ、Ｐｒ）であるといった情報や、暗号化鍵などを含む映像制御情報Ａを第１の映像制御情報インターフェース部１６１０とやりとりを行う。
【００１０】
第１の送信用映像インターフェース装置１６０５から出力された映像信号Ａは、第１の入力処理部１６０９へ入力され、シリアル／パラレル変換などの入力処理が行われる。該入力処理が行われた映像信号Ａは第１の映像信号処理部１６１１へ入力され、第１の映像制御情報インターフェース部１６１０から送信される映像制御情報に基づいて、例えば色差信号（Ｙ、Ｐｂ、Ｐｒ）から色信号（Ｒ、Ｇ、Ｂ）への変換や、暗号化された映像信号の復号を行う。前記第１の映像信号処理部１６１１で映像信号処理された映像信号は、映像信号選択装置１６２０へ送信される。
【００１１】
同様にして、第２の映像供給機器１６０２（例えばＤＶＤプレーヤー）、及び第３の映像供給機器１６０３（例えばデジタルＶＴＲ）から送られてくる映像信号Ｂ、Ｃはモニター装置１６０４に入力され、第２、第３の受信用映像インターフェース装置１６１２、１６１６において映像信号処理が行われ、前記映像信号選択装置１６２０へ入力される。
【００１２】
続いて、外部から入力される映像切り替え制御信号（例えばユーザーがリモコンから送信したチャンネル変更信号）によって、前記映像信号選択装置１６２０は、上記それぞれの第１〜第３の映像インターフェース装置１６０１〜１６０３から入力された映像信号Ａ〜Ｃのうち、所望の映像信号をディスプレイ表示装置１６２１へ出力し、映像を表示する。
【００１３】
【発明が解決しようとする課題】
しかしながら前述した従来の映像インターフェース装置の構成では、接続される映像供給機器の数だけ、あるいはモニター装置の入力端子の数だけ映像インターフェース装置が必要になり、その分、部品点数（回路規模）が多くなり、また消費電力も大きいものとなるという問題があった。
本発明は、上記のような従来の問題点を解決するためになされたもので、複数の映像供給機器と１つのモニター機器（もしくは１つの映像供給機器と複数のモニター機器）とが接続される場合でも、複数の映像供給機器（もしくはモニター機器）全体につき１つの映像インターフェース装置で信号伝送をすることができる映像インターフェース装置を得ることを目的とする。
【００１４】
【課題を解決するための手段】
上記目的を達成するために、本発明の請求項１による映像インターフェース装置は、複数個の映像供給機器と１つのモニター機器とが接続され、前記複数個の映像供給機器から複数の映像信号、及び映像制御情報を受信する映像インターフェース装置において、前記複数の映像信号を受け取り、入力処理を行う複数個の入力処理部と、該入力処理部が入力処理した映像信号、及び外部から入力される映像切り替え制御信号を受け取り、該映像切り替え制御信号に対応する映像信号を選択し出力する映像信号選択部と、前記複数の映像制御情報を保持する映像制御情報メモリ部と、前記複数個の映像供給機器から送信される前記複数の映像制御情報を前記映像制御情報メモリ部に書き込み、また、前記映像切り替え制御信号に対応する映像制御情報を前記映像制御情報メモリ部より読み出し、出力する映像制御情報メモリインターフェース部と、該映像制御情報メモリインターフェース部から送信される映像制御情報に基づいて、前記映像信号選択部から送信される前記映像信号の信号処理を行う映像信号処理部と、を備えるようにしたものである。
【００１５】
本発明の請求項２は、請求項１記載の映像インターフェース装置において、前記複数個の映像供給機器と前記１つのモニター機器間における映像信号の伝送は、デジタル伝送であるようにしたものである。
【００１６】
本発明の請求項３による映像インターフェース装置は、複数個の映像供給機器と１つのモニター機器とが接続され、前記複数個の映像供給機器から複数の映像信号、映像制御情報、及び映像暗号鍵化鍵情報を受信する映像インターフェース装置において、前記複数の映像信号にコピーガードが必要な場合、該複数の映像信号を受け取り、入力処理を行う複数個の入力処理部と、該入力処理部が入力処理した映像信号、及び外部から入力される映像切り替え制御信号を受け取り、該映像切り替え制御信号に対応する映像信号を選択し出力する映像信号選択部と、前記複数個の映像供給機器から複数の映像暗号化鍵情報を受け取り、該複数の映像暗号化鍵情報に基づいて、複数の映像復号化鍵情報を演算する複数の映像復号化鍵演算部と、前記複数の映像制御情報、及び演算された前記複数の映像復号化鍵情報を保持する映像制御情報メモリ部と、前記複数個の映像供給機器から送信される前記複数の映像制御情報、及び前記複数の映像復号化鍵演算部から送信される前記複数の映像復号化鍵情報を前記映像制御情報メモリ部に書き込み、また、前記映像切り替え制御信号に対応する前記映像制御情報、及び前記映像復号化鍵情報を前記映像制御情報メモリ部より読み出して出力する映像制御情報メモリインターフェース部と、該映像制御情報メモリインターフェース部から送信される前記映像制御情報、及び前記映像復号化鍵情報に基づいて、前記映像信号選択部から送信される前記映像信号に対し暗号復号化処理を含む信号処理を行う映像信号処理部と、を備えるようにしたものである。
【００１７】
本発明の請求項４による映像インターフェース装置は、複数個の映像供給機器と１つのモニター機器とが接続され、前記複数個の映像供給機器から複数の映像信号、映像制御情報、及び映像暗号化鍵情報を受信する映像インターフェース装置において、前記複数の映像信号にコピーガードが必要な場合、該複数の映像信号を受け取り、入力処理を行う複数個の入力処理部と、該入力処理部が入力処理した映像信号、及び外部から入力される映像切り替え制御信号を受け取り、該映像切り替え制御信号に対応する映像信号を選択し出力する映像信号選択部と、前記複数の映像制御情報を保持する映像制御情報メモリ部と、前記複数個の映像供給機器から前記複数の映像暗号化鍵情報を受け取り、該複数の映像暗号化鍵情報に基づいて前記複数の映像復号化鍵情報を演算する１つの映像復号化鍵演算部と、前記映像復号化部の動作のタイミングを水平同期信号に応じて制御し、該制御に関する情報を前記映像制御情報メモリインターフェース部へ出力する映像復号化鍵演算制御部と、前記複数個の映像供給機器から送信される複数の映像制御情報、及び前記複数の映像復号化鍵演算部から送信される映像復号化鍵情報を、前記映像復号化鍵演算制御部からの許可信号に応じて入力し、前記映像制御情報メモリ部に書き込み、また、前記映像切り替え制御信号に応じて必要な映像制御情報と映像復号化鍵情報を映像制御情報メモリ部より読み出して出力する映像制御情報メモリインターフェース部と、該映像制御情報メモリインターフェース部より送信される映像制御情報、及び映像復号化鍵情報に基づいて、前記映像信号選択部より送信される映像信号に対し暗号復号化処理を含む信号処理を行う映像信号処理部と、を備えるようにしたものである。
【００１８】
本発明の請求項５は、請求項４記載の映像インターフェース装置において、前記モニター機器の該複数の画面に前記複数の映像供給機器からの映像信号を表示する場合、前記映像復号化鍵演算制御部は、映像表示期間以外のタイミングで映像復号化鍵演算を行うよう、前記映像復号化鍵演算部、及び前記映像制御情報メモリインターフェース部を制御するようにしたものである。
【００１９】
本発明の請求項６は、請求項１記載の映像インターフェース装置において、複数個の映像供給機器との接続を判定し、該映像供給機器と接続された場合には接続信号を出力し、該映像供給機器と接続が外れた場合には非接続信号を出力する複数個の接続判定部を備え、前記映像制御情報メモリインターフェース部は、前記接続判定部から出力される前記接続信号、及び前記非接続信号に応じて、前記映像制御情報メモリ部に前記映像制御情報を書きこむアドレスを制御するようにしたものである。
【００２０】
本発明の請求項７は、請求項１記載の映像インターフェース装置において、前記モニター機器に接続された前記複数個の映像供給機器からの映像信号の有無を判定し、該映像信号が流れている場合には接続信号を出力し、該映像信号が流れていない場合には非接続信号を出力する複数個の信号入力判定部を備え、前記映像制御情報メモリインターフェース部は、前記信号入力判定部から出力される前記接続信号、及び前記非接続信号に応じて、前記映像制御情報メモリ部に書きこむアドレスを制御するようにしたものである。
【００２１】
本発明の請求項８は、請求項６記載の映像インターフェース装置において、前記映像信号選択部は、前記接続判定部から出力された前記接続信号、及び前記非接続信号を入力し、前記映像切り替え制御信号によって、接続されていない映像供給機器による映像信号が選択された場合、映像信号の切り替えを行わず、現在表示されている映像信号を続けて出力するようにしたものである。
【００２２】
本発明の請求項９は、請求項６記載の映像インターフェース装置において、前記映像信号選択部は、前記接続判定部から出力された前記接続信号、及び前記非接続信号を入力し、前記映像切り替え制御信号によって、接続されていない映像供給機器からの映像信号が選択された場合、次に接続されている映像供給機器による映像信号を検索し、該映像信号を出力するようにしたものである。
【００２３】
本発明の請求項１０は、請求項７記載の映像インターフェース装置において、前記映像信号選択部は、前記入力信号入力判定部から出力された前記接続信号、及び前記非接続信号を入力し、前記映像切り替え制御信号によって、映像信号が流れていない映像供給機器による映像信号が選択された場合、映像信号の切り替えを行わず、現在表示されている映像信号を続けて出力するようにしたものである。
【００２４】
本発明の請求項１１は、請求項７記載の映像インターフェース装置において、前記映像信号選択部は、前記信号入力判定部から出力された前記接続信号、及び前記非接続信号を入力し、前記映像切り替え制御信号によって、映像信号が流れていない映像供給機器による映像信号が選択された場合、次に映像信号が流れている映像供給機器による映像信号を検索し、該映像信号を出力するようにしたものである。
【００２５】
本発明の請求項１２による映像インターフェース装置は、１つの映像供給機器と複数個のモニター機器とが接続され、映像信号生成部で生成された映像信号を前記１つの映像供給機器から複数個のモニター機器へ送信する映像インターフェース装置において、前記複数個のモニター機器から送信される複数個のモニター情報を保持するモニター情報メモリ部と、前記複数個のモニター機器との接続を判定し、該接続に関する情報を出力する複数個の接続判定部と、前記複数個の接続判定部から送信される該接続に関する情報に基づいて、接続されている複数のモニター機器からモニター情報を入力し、前記モニター情報メモリ部へ書き込み、また、必要なモニター情報を読み出して出力するモニター情報メモリインターフェース部と、前記映像信号生成部によって生成された映像信号を受け取り、前記モニター情報メモリインターフェース部から出力されたモニター情報に基づいて、映像信号処理を行う複数個の映像信号処理部と、該複数個の映像信号処理部からの映像信号を入力し、出力処理を行う出力処理部と、を備えるようにしたものである。
【００２６】
本発明の請求項１３は、請求項１２記載の映像インターフェース装置において、１つの映像供給機器と複数個のモニター機器間における映像信号の伝送は、デジタル伝送であるようにしたものである。
【００２７】
本発明の請求項１４による映像インターフェース装置は、１つの映像供給機器と複数個のモニター機器とが接続され、映像信号生成部で生成された映像信号を前記１つの映像供給機器から前記複数個のモニター機器へ送信する映像インターフェース装置において、前記複数個のモニター機器からの複数個のモニター情報を保持するモニター情報メモリ部と、前記複数個のモニター機器との接続を判定し、該接続に関する情報を出力する複数個の接続判定部と、前記複数個のモニター機器より複数の映像暗号化鍵情報を受け取り、該複数の映像暗号化鍵情報に基づいて、前記複数の映像暗号化鍵情報を演算する１つの映像暗号化鍵演算部と、前記映像暗号化鍵演算部の動作のタイミングを水平同期信号に応じて制御し、該制御に関する情報をモニター情報メモリインターフェース部へ出力する映像暗号化鍵演算制御部と、前記複数個の接続判定部から送信される前記接続に関する情報に基づいて、接続されている前記複数のモニター機器からモニター情報を入力し、また、前記映像暗号化鍵演算部から送信される映像暗号化鍵情報を前記映像暗号化鍵演算制御部からの許可信号に応じて入力し、前記モニター情報メモリ部へ書き込み、また必要なモニター情報を読み出して出力するモニター情報メモリインターフェース部と、前記映像信号生成部で生成された映像信号を入力し、前記モニター情報メモリインターフェース部から出力されたモニター情報に基づいて、映像信号処理を行う複数個の映像信号処理部と、該複数個の映像信号処理部からの映像信号を入力し、出力処理を行う出力処理部とを備え、前記映像暗号化鍵演算部は、前記モニター機器に接続された順にタイミングをずらして暗号化鍵を演算し、また、該タイミングをずらした時間に応じて暗号化や復号化の制御を行うようにしたものである。
【００２８】
本発明の請求項１５による映像インターフェース装置は、複数個の映像供給機器と１つのモニター機器とが接続され、前記複数個の映像供給機器から複数の映像信号、及び映像制御情報を送信される映像インターフェース装置において、前記複数個の映像供給機器のうち、一部の映像供給機器より出力される映像信号にコピーガードが必要な場合、前記複数の映像信号を受け取り、入力処理を行う複数個の入力処理部と、該入力処理部が入力処理した映像信号、及び外部から入力される映像切り替え制御信号を受け取り、該映像切り替え制御信号に対応する映像信号を選択し出力する映像信号選択部と、前記複数の映像制御情報を保持する映像制御情報メモリ部と、前記モニター機器が暗号に対応していない旨のメッセージ映像信号を生成するメッセージ生成部と、前記複数個の映像供給機器のうち、コピーガードが必要な映像信号を出力する映像供給機器より送信される映像暗号化鍵情報を入力し、前記メッセージ生成部に映像信号を出力するように制御し、また、その情報を前記映像信号選択部へ送信する暗号非対応信号発信部と、前記複数個の映像供給機器から送信されてくる複数の映像制御情報を入力し、前記映像制御情報メモリ部に書き込み、また、前記映像切り替え制御信号に応じて必要な映像制御情報を映像制御情報メモリ部より読み出して出力する映像制御情報メモリインターフェース部と、該映像制御情報メモリインターフェース部より入力された映像制御情報に基づいて、前記映像信号選択部より入力される映像信号に対し信号処理を行う映像信号処理部を備え、前記映像信号選択部は、コピーガードが必要な映像信号を出力する映像供給機器からの映像信号が選択された場合に、前記メッセージ生成部より送信された前記メッセージ映像信号を出力するようにしたものである。
【００２９】
本発明の請求項１６による映像インターフェース装置は、複数個の映像供給機器と１つのモニター装置とが接続され、前記複数個の映像供給機器から複数の映像信号、映像制御情報、及び映像暗号化鍵情報が送信される映像インターフェース装置において、前記複数個の映像供給機器のうち、一部の映像供給機器より出力される映像信号にコピーガードが必要な場合、前記複数の映像信号を受け取り、入力処理を行う複数個の入力処理部と、該入力処理部が入力処理した映像信号、及び外部から入力される映像切り替え制御信号を受け取り、該映像切り替え制御信号に対応する映像信号を選択して出力する映像信号選択部と、前記複数の映像制御情報を保持する映像制御情報メモリ部と、前記複数個の映像供給機器のうち、コピーガードが必要な映像信号を出力する映像供給機器より送信される映像暗号化鍵情報を入力し、該映像暗号化鍵情報を前記映像信号選択部へ送信する暗号非対応信号発信部と、前記複数個の映像供給機器から送信される複数の映像制御情報を入力し、前記映像制御情報メモリ部に書き込み、また、前記映像切り替え制御信号に応じて必要な映像制御情報を前記映像制御情報メモリ部より読み出し、出力する映像制御情報メモリインターフェース部と、該映像制御情報メモリインターフェース部より入力された映像制御情報に基づいて、前記映像信号選択部より入力される映像信号に対し信号処理を行う映像信号処理部とを備え、前記映像信号選択部は、コピーガードが必要な映像信号を出力する映像供給機器からの映像信号が選択された場合、映像信号の切り替えを行わず、現在表示されている映像信号を続けて出力するようにしたものである。
【００３０】
本発明の請求項１７は、請求項１６記載の映像インターフェース装置において、前記映像信号選択部は、コピーガードが必要な映像信号を出力する映像供給機器からの映像信号が選択された場合、次に映像信号の入力がある映像供給機器を検索し、該映像供給機器からの映像信号を出力するようにしたものである。
【００３１】
本発明の請求項１８による映像インターフェース装置は、複数個の映像供給機器と１つのモニター装置とが接続され、前記複数個の映像供給機器から複数の映像信号、及び映像制御情報が送信される映像インターフェース装置において、前記複数種類の映像信号を受け取り、入力処理を行う複数個の入力処理部と、該入力処理部が入力処理した映像信号、及び外部から入力される映像切り替え制御信号を受け取り、該映像切り替え制御信号に対応する映像信号を選択し出力する映像信号選択部と、前記複数の映像制御情報を保持する映像制御情報メモリ部と、前記複数個の映像供給機器から送信される前記複数の映像制御情報を入力し、前記映像制御情報メモリ部に書き込み、また、前記映像切り替え制御信号に応じて必要な映像制御情報を前記映像制御情報メモリ部より読み出し、出力する映像制御情報メモリインターフェース部と、前記モニター機器と接続された前記複数個の映像供給機器からの映像信号の有無を判定し、映像信号が流れている場合には接続信号を出力し、映像信号が流れていない場合には非接続信号を出力する複数個の信号入力判定部と、前記映像制御情報メモリインターフェース部より入力された映像制御情報、及び前記信号入力判定部から入力された接続信号を入力し、映像信号処理群の中から必要な映像信号処理部を選択し、制御を行う映像信号処理選択部と、該映像信号処理選択部からの制御信号に基づいて、前記映像信号選択部より入力される映像信号の信号処理を行う複数個の映像信号処理部を有する映像信号処理群とを備え、前記映像信号処理選択部は、実際に使われていない前記映像信号処理部の動作を完全に停止するようにしたものである。
【００３２】
本発明の請求項１９による映像インターフェース装置は、１つの映像供給機器と複数個のモニター機器とが接続され、映像信号生成部で生成された映像信号を前記１つの映像供給機器から前記モニター機器へ送信する映像インターフェース装置において、前記複数個のモニター機器からの複数個のモニター情報を保持するモニター情報メモリ部と、前記複数個のモニター機器との接続を判定し、該接続に関する情報を出力する複数個の接続判定部と、該複数個の接続判定部から送信される前記接続に関する情報に基づいて、接続されている前記複数のモニター機器からモニター情報を入力し、前記モニター情報メモリ部へ書き込み、また必要なモニター情報を読み出して出力するモニター情報メモリインターフェース部と、映像供給機器からの映像信号の有無を判定し、映像信号が流れている場合には接続信号を出力し、映像信号が流れていない場合には非接続信号を出力する信号入力判定部と、該モニター情報メモリインターフェース部より入力された前記モニター情報、及び前記信号入力判定部から入力された前記接続信号を入力し、映像信号処理群の中から必要な映像信号処理部を選択し、制御を行う映像信号処理選択部と、前記映像信号生成部によって生成された映像信号を入力し、前記映像信号処理選択部からの制御信号に基づいて、映像信号処理を行う複数個の映像信号処理部を有する映像信号処理群と、該映像信号処理群からの映像信号を入力し、出力処理を行う出力処理部とを備え、前記映像信号処理選択部は、実際に使われていない前記映像信号処理部の動作を完全に停止するようにしたものである。
【００３３】
（実施の形態１）
図１は、本発明の実施の形態１にかかる映像インターフェース装置の構成を示すブロック図である。
図１において、１、２、３は、例えば、ＢＳデジタル放送受信用のＳＴＢ（セットトップボックス）、ＤＶＤプレーヤー、デジタルＶＴＲといった第１〜第３の映像供給機器である。
【００３４】
４ａは、複数の映像供給機器から映像信号を受け、ディスプレイへ画像を映すモニター機器である。
５、６、７は、第１〜第３の映像供給機器１〜３で生成された映像信号Ａ〜Ｃとモニター機器４ａとのやりとりで生成された暗号化鍵や画質補正情報といった映像制御情報Ａ〜Ｃを前記モニター機器４ａへ出力する第１〜第３の送信用映像インターフェース装置である。
１１は、前記第１の送信用映像インターフェース装置５から出力された映像信号Ａや映像制御情報Ａを受けて必要な信号処理を行い、ディスプレイ装置へ出力する受信用映像インターフェース装置である。
【００３５】
該受信用映像インターフェース装置１１は、映像信号Ａ〜Ｃを受けてシリアル／パラレル処理などを行う入力処理部１２と、第１〜第３の送信用映像インターフェース装置５〜７からの映像制御情報Ａ〜Ｃを受けて復号鍵生成などの必要な処理を行ったり、前記映像制御情報Ａ〜Ｃを映像制御情報メモリ部１５に書き込み制御を行い、また外部から入力される映像切り替え制御信号によって前記映像制御情報メモリ部１５から必要な映像制御情報を読み出す映像制御情報メモリインターフェース部１４と、映像制御情報を記憶する映像制御情報メモリ部１５と、入力処理部１２から出力される複数の映像信号を取り込み、前記外部から入力される映像切り替え制御信号に従って所望の映像信号を出力する映像信号選択部１３と、前記映像制御情報メモリインターフェース部１４から出力される映像制御情報に基づいて前記映像信号選択部１３から出力された映像信号の信号処理を行い、出力する映像信号処理部１６から構成される。
１７は、前記受信用映像インターフェース装置１１内の映像信号処理部１６から出力された映像信号をディスプレイに表示するディスプレイ表示装置である。
【００３６】
このように構成された受信用映像インターフェース装置１１の動作について具体的な例を用いて説明する。例えば、第１の映像供給機器１は、ＢＳデジタル放送のＳＴＢとする。
まず衛星からくる放送を受信し、ＭＰＥＧ２のデコード処理を行った後の映像信号Ａが第１の送信用映像インターフェース装置５へ入力される。
該第１の送信用映像インターフェース装置５は、モニター機器４と第１の映像供給機器１とが接続され、映像制御情報Ａが、モニター側映像インターフェース装置１１内の映像制御情報メモリインターフェース部１４へ入力される。前記映像制御情報Ａとは、例えば出力される映像信号は色差信号（Ｙ、Ｐｂ、Ｐｒ）であるといった情報や、暗号化鍵といった情報である。
【００３７】
前記映像制御情報メモリインターフェース部１４は、前記映像制御情報Ａを映像制御情報メモリ部１５にアドレスを指定して書き込みを行う。
同様にして第２の映像供給機器２（例えばＤＶＤプレーヤー）、及び第３の映像供給機器３（例えばデジタルＶＴＲ）から送られてくる映像信号Ｂ、Ｃについても、モニター機器４に入力される。また、映像制御情報Ｂ、Ｃは、映像制御情報メモリインターフェース部１４へ入力され、該映像制御情報メモリインターフェース部１４により前記映像制御情報Ｂ、Ｃを映像制御情報メモリ部１５にアドレスを指定して書き込まれる。
【００３８】
第１〜第３の送信用映像インターフェース装置５〜７から出力された映像信号Ａ〜Ｃは、入力処理部１２へ入力され、それぞれシリアル／パラレル変換などの入力処理が行われる。入力処理が行われた３つの映像信号Ａ〜Ｃは、映像信号選択部１３へ入力される。該映像信号選択部１３では、外部から入力される映像切り替え制御信号（例えばユーザーがリモコンから送信したチャンネル変更信号）によって上記入力された３つの映像信号Ａ〜Ｃより所望の映像信号が選択され出力される。
【００３９】
ここで、ユーザーが表示したいチャンネルとして、第１の映像供給機器１（ＢＳデジタルＳＴＢ）を選択したとする。前記映像制御情報メモリインターフェース部１４は、映像切り替え制御信号によって映像制御情報Ａを映像制御情報メモリ部１５より読み出して映像信号処理部１６へ送信する。該映像信号処理部１６では、上記映像制御情報Ａを用いて、映像信号選択部１３から送信される映像信号Ａに対して、例えば色差信号（Ｙ、Ｐｂ、Ｐｒ）から色信号（Ｒ、Ｇ、Ｂ）への変換や、暗号化された映像信号の復号を行う。
前記映像信号処理部１６で映像信号処理された映像信号は、ディスプレイ表示装置１７へ送信される。
【００４０】
同様にユーザーが表示したいチャンネルとして第２の映像供給機器２（ＤＶＤプレーヤー）、及び第３の映像供給機器３（デジタルＶＴＲ）を選択したときは、映像制御情報Ｂ、Ｃを映像信号処理部１６に送信し、映像信号Ｂ、Ｃに対して映像信号処理を行う。映像信号処理部１６で映像信号処理された映像信号は、ディスプレイ表示装置１７へ送信される。
【００４１】
このように本実施の形態１では、複数の映像供給機器から複数種類の映像信号が入力されていても、外部から入力される映像切り替え制御信号により映像信号選択部で、映像信号処理する映像信号を選択することができるので、１つの受信用映像インターフェース装置のみを使うことで、チャンネルの切り替えを行うことができ、部品点数や回路規模、消費電力を削減することができる。
また、本実施の形態１では、複数の映像供給機器から複数種類の映像信号が入力されていても、外部から映像制御情報メモリインターフェース部に映像切り替え制御信号が入力することで、映像信号処理する映像信号に対応する映像制御情報を、映像制御情報メモリ部から読み出すことができるので、映像制御の切り替えを行うことができ、部品点数や回路規模、消費電力を削減することができる。なお、本実施の形態１では、３つの映像供給機器から１つのモニター機器にそれぞれ映像信号が入力される例を説明したが、さらに複数の映像供給機器から１つのモニター機器に映像信号が入力される場合でもよい。
【００４２】
（実施の形態２）
次に本発明の実施の形態２における映像インターフェース装置について説明する。
図２は、本発明の実施の形態２による映像インターフェース装置の構成を示すブロック図であり、実施の形態１と同一部分は同一の符号を付けて説明する。　本実施の形態２において、第１〜第３の映像供給機器１〜３、及びモニター機器４ｂとの間で、映像信号に暗号化がなされ、暗号化に使われる暗号鍵が、時間（例えば１水平期間）によって変化していくシステムを考える。
図２において、２０２〜２０４は、第１〜第３の送信用映像インターフェース装置５〜７より送られてくる映像制御情報Ａ〜Ｃのうち暗号鍵Ａ〜Ｃを取り出して、ある一定期間で復号化鍵Ａ〜Ｃを演算する第１〜第３の映像復号化鍵演算部である。
【００４３】
２０１は、第１〜第３の送信用映像インターフェース装置５〜７からの映像制御情報Ａ〜Ｃや、第１〜第３の映像復号化鍵演算部２０２〜２０４からの復号化鍵Ａ〜Ｃを受けて、その映像制御情報や復号化鍵を映像制御情報メモリ部１５に書き込み制御を行い、また外部から入力される映像切り替え制御信号によって前記映像制御情報メモリ部１５から必要な映像制御情報や復号化鍵を読み出す第２の映像制御情報メモリインターフェース部である。
【００４４】
このように構成された受信用映像インターフェース装置２０５の動作について具体的な例を用いて説明する。なお、第１〜第３の映像復号化演算部２０２〜２０４、及び映像制御情報メモリインターフェース部２０１以外に関する動作については、実施の形態１と同様であり、その説明を省略する。
【００４５】
本実施の形態２では、第１〜第３の映像供給機器１〜３については実施の形態１と同様の動作を行うが、該第１〜第３の映像供給機器１〜３がモニター機器４に接続されたとき、暗号鍵が交換され、接続以降一定期間で、それぞれの暗号鍵、及び復号鍵が演算され変更される。
【００４６】
第１の映像復号化鍵演算部２０２では、第１の送信用映像インターフェース装置５から送られてくる暗号鍵Ａを１水平期間に一回、決められた演算に従って復号鍵Ａの演算を行い、該復号鍵Ａを前記第１の送信用映像インターフェース装置５へ送り返して、該第１の送信用映像インターフェース装置５において暗号鍵Ａと合っているかどうか認証を行う。
【００４７】
また、第１の映像復号化鍵演算部２０２においても、演算された暗号鍵Ａと復号鍵Ａが合っているか認証を行う。認証を行った復号鍵Ａは、映像制御情報メモリインターフェース部２０１によって映像制御情報メモリ部１５に書き込まれる。
同様に、第２、第３の映像復号鍵演算部２０３、２０４では、暗号鍵Ｂ、Ｃについて復号鍵Ｂ、Ｃの演算、及び認証を行い、該復号鍵Ｂ、Ｃは、映像制御情報メモリ部１５に書き込まれる。
続いて、映像制御情報メモリインターフェース部２０１では、ユーザーが求めた映像に合わせた復号鍵が前記映像制御情報メモリ部１５から読み出され、映像信号処理部１６へ送られ、映像復号化の処理が行われる。
【００４８】
このように本実施の形態２では、映像供給機器の数の映像復号化鍵部を備えたので、１つのモニター側映像インターフェース装置のみで複数の映像信号の復号化をすることができる。
また本実施の形態２では、外部から映像制御情報メモリインターフェース部に映像切り替え制御信号が入力されることで、映像信号処理する映像信号に対応する復号鍵を、映像制御情報メモリ部から読み出すことにより、必要な映像信号についてのみ映像を復号化することができ、他の使わない映像信号の復号化回路が必要でなくなり、回路規模削減することができる。
なお、本実施の形態２では、３つの映像供給機器から１つのモニター機器にそれぞれ映像信号が入力される例を説明したが、さらに複数の映像供給機器から１つのモニター機器に映像信号が入力される場合でもよい。
【００４９】
（実施の形態３）
次に本発明の実施の形態３における映像インターフェース装置について説明する。
図３は、本発明の実施の形態３による映像インターフェース装置の構成を示すブロック図であり、実施の形態１及び実施の形態２と同一部分は同一の符号を付けて説明する。
本実施の形態３において第１〜第３の映像供給機器１〜３とモニター機器４ｃとの間で、映像信号に暗号化がなされ、暗号化に使われる暗号鍵が、時間（例えば１水平期間）によって変化していくシステムである。
【００５０】
図３において、３０２は、第１〜第３の送信用映像インターフェース装置５〜７より送られてくる映像制御情報Ａ〜Ｃのうち、暗号鍵Ａ〜Ｃをそれぞれ取り出して、ある一定期間で復号鍵Ａ〜Ｃを演算する映像復号化鍵演算部である。
３０１は、第１〜第３の送信用映像インターフェース装置５〜７からの映像制御情報Ａ〜Ｃや映像復号化鍵演算部３０２からの復号鍵Ａ〜Ｃを受けて、その映像制御情報や復号化鍵を映像制御情報メモリ部１５に書き込み制御を行い、また外部から入力される映像切り替え制御信号によって、前記映像制御情報メモリ部１５から必要な映像制御情報や復号化鍵を読み出す映像制御情報メモリインターフェース部である。
【００５１】
３０３は、前記映像復号鍵演算部３０２の演算を復号鍵Ａから順番に行うように制御し、また、映像制御情報メモリインターフェース部３０１の映像制御情報メモリ部１５への書き込みも復号鍵Ａから順番に行うように制御する映像復号鍵演算制御部である。
本実施の形態３では、実施の形態２において、復号鍵Ａ〜Ｃをそれぞれ専用の映像復号鍵演算部で演算していたものを、全て同一の映像復号鍵演算部３０２で行う。
【００５２】
このように構成された受信用映像インターフェース装置３０４の動作について具体的な例を用いて説明する。なお、映像制御情報メモリインターフェース部３０１、映像復号化鍵演算部３０２、及び映像復号化鍵演算制御部３０３以外に関する動作については、実施の形態１または２と同様であり、その説明を省略する。
本実施の形態３では、実施の形態２において、それぞれ復号鍵Ａ〜Ｃをそれぞれ専用の映像復号化鍵演算部で演算していたものを、全て同一の映像復号鍵演算部３０２で行う。また、映像復号鍵演算制御部３０３によって、演算の順番が決められて制御される。
【００５３】
図５は、本発明の実施の形態３による映像インターフェース装置における復号鍵演算（ａ）、及び書き込み（ｂ）のタイミング図である。
図５（ａ）に示すように、映像復号鍵演算制御部３０３によって、第１の映像供給機器から第２、第３の映像供給機器という順で復号鍵の演算の順番が決められて制御されている。
また、映像制御情報メモリインターフェース部３０１において、図５（ｂ）に示すように復号鍵Ａ、Ｂ、Ｃの順番で、映像制御情報メモリ部１５にそれぞれタイミングをずらして復号鍵を書き込む。
【００５４】
このように本実施の形態３では、映像復号化鍵演算部を制御する映像復号化鍵演算制御部を備えたので、複数の暗号鍵を復号化する際に、復号鍵を順番に復号するように制御でき、映像復号鍵を演算する回路が１つで済み、回路規模を削減することができる。
なお、本実施の形態３では、３つの映像供給機器から１つのモニター機器にそれぞれ映像信号が入力される例を説明したが、さらに複数の映像供給機器から１つのモニター機器に映像信号が入力される場合でもよい。
【００５５】
（実施の形態４）
次に本発明の実施の形態４における映像インターフェース装置について説明する。
図４は、本発明の実施の形態４による映像インターフェース装置の構成を示すブロック図であり、実施の形態１、２または３と同一部分は同一の符号を付けて説明する。
本実施の形態４において、第１〜第３の映像供給機器１〜３とモニター機器４ｄとの間で、映像信号に暗号化がなされ、暗号化に使われる暗号鍵が、時間（例えば１水平期間）によって変化していくシステムである。
【００５６】
図４において、４０１は、外部から入力される画像配置情報に応じて映像復号鍵演算部３０２が復号鍵の計算するタイミングや、映像制御情報メモリインターフェース部３０１が映像制御情報メモリ部１５へ復号鍵を書きこむタイミングを制御する映像復号鍵演算制御部である。
このように構成された受信用映像インターフェース装置４０２の動作について具体的な例を用いて説明する。なお、映像復号化鍵演算制御部４０１以外に関する動作については、実施の形態３と同様であり、その説明を省略する。
映像復号化鍵演算制御部４０１は、前記映像復号化鍵演算部３０２における復号鍵の演算がそれぞれの画面表示期間にかからないように外部から入力される画像配置情報によって、タイミングが制御されている。
【００５７】
図６は、本発明の実施の形態４による映像インターフェース装置における復号鍵演算（ａ）及び書き込み（ｂ）のタイミング図である。
映像復号鍵演算制御部４０１では、１画面に複数の画面を表示する場合、例えば図６（ａ）及び（ｂ）に示すように、第１の映像供給機器と第２の映像供給機器が交互に、外部から入力される画像配置情報によって、復号鍵の演算がそれぞれの画面表示期間にかからないようにタイミングが制御されている。
また、映像制御情報メモリインターフェース部３０１においては、図６（ｂ）に示すように映像制御情報メモリ部１５に復号鍵を、タイミングをずらして書き込む。
【００５８】
このように本発明の実施の形態４では、映像復号化鍵演算制御部を備えたので、映像復号鍵を演算する回路が１つで済み、回路規模削減することができるとともに、外部から入力される画像配置情報によって、１つの画面に複数の映像を表示する場合でも映像信号が乱れることなく復号鍵を演算することが可能になる。なお、本実施の形態４では、３つの映像供給機器から１つのモニター機器にそれぞれ映像信号が入力される例を説明したが、さらに複数の映像供給機器から１つのモニター機器に映像信号が入力される場合でもよい。
【００５９】
（実施の形態５）
次に本発明の実施の形態５における映像インターフェース装置について説明する。
図７は、本発明の実施の形態５による映像インターフェース装置の構成を示すブロック図であり、実施の形態１と同一部分は同一の符号を付けて説明する。
図７において、７０１〜７０３は、第１〜第３の映像供給機器１〜３と接続された後、映像信号が入力されているか判定する信号入力判定部である。
７０４は映像制御情報メモリインターフェース部であり、第１〜第３の送信用映像インターフェース装置５〜７との接続状況や信号入力状況を前記第１〜第３の信号入力判定部７０１〜７０３からの信号で判定し、映像制御情報Ａ〜Ｃを受けて、信号が入力されている映像供給機器からの映像制御情報を映像制御情報メモリ部１５に書き込み制御を行う。また、前記映像制御情報メモリインターフェース部７０４は、外部から入力される映像切り替え制御信号によって、前記映像制御情報メモリ部１５から必要な映像制御情報を読み出す。
【００６０】
このように構成されたモニター側映像インターフェース装置７０５の動作について具体的な例を用いて説明する。第１〜第３の信号入力判定部７０１〜７０３、及び映像制御情報メモリインターフェース部７０４以外に関する動作は、実施の形態１と同様であり、その説明を省略する。
第１〜第３の信号入力判定部７０１〜７０３では、前記第１〜第３の映像供給機器１〜３とそれぞれ接続されており、かつ映像信号が流れているかどうかの判定を、例えばある一定期間（少なくとも水平同期信号間以上の間隔）に映像信号の変化の有無を検知することで行う。
【００６１】
もし映像信号が流れているようであれば、その旨を映像制御情報メモリインターフェース部７０４へ送信する。該映像制御情報メモリインターフェース部７０４は、前記第１〜第３の信号入力判定部７０１〜７０３のうち、映像信号の入力判定が行われた映像供給機器からの映像制御情報のみを映像制御情報メモリ部１５へ書き込むように制御を行う。
【００６２】
また、第１〜第３の信号入力判定部７０１〜７０３から映像信号入力が無くなった（一定期間信号が流れていないと検知した）という信号が入れば、映像信号入力がなくなった映像供給機器の映像制御情報が書き込まれている映像制御情報メモリ部１５のアドレスは、書き込み許可になる。そして、信号入力判定部が新たに映像供給機器に接続され、映像信号が入力された映像供給機器の映像制御情報が前記映像制御情報メモリ部１５に書き込まれる。
【００６３】
このように本実施の形態５では、複数の映像供給機器にそれぞれ対応した複数の信号入力判定部を備え、映像信号が流れている映像供給機器から送られる映像制御情報のみを映像制御情報メモリ部に書き込むようにしたので、該映像制御情報メモリ部のメモリ量を有効に使うことができ、メモリ量削減を可能にすることができる。
【００６４】
なお、本実施の形態５では、３つの映像供給機器から１つのモニター機器にそれぞれ映像信号が入力される例を説明したが、さらに複数の映像供給機器から１つのモニター機器に映像信号が入力される場合でもよい。
また、本実施の形態５では、図７における第１〜第３の信号入力判定部７０１〜７０３を、第１〜第３の映像供給機器１〜３に接続されたか否かを判定する接続判定部としてもよい。
【００６５】
（実施の形態６）
次に本発明の実施の形態６における映像インターフェース装置について説明する。
図８は、本発明の実施の形態６による映像インターフェース装置の構成を示すブロック図であり、実施の形態１及び実施の形態５と同一部分は同一の符号を付けて説明する。
図８において、８０１は、入力処理部１２から出力される複数の映像信号を取り込み、前記外部から入力される映像切り替え制御信号に従って所望の映像信号を出力し、第１〜第３の信号入力判定部７０１〜７０３からの信号入力状況に応じて、映像切り替えを行わないように制御する映像信号選択部である。
【００６６】
このように構成された受信用映像インターフェース装置８０２の動作について具体的な例を用いて説明する。なお、映像信号選択部８０１以外に関する動作については、実施の形態５と同様であり、その説明を省略する。
第１〜第３の信号入力判定部７０１〜７０３では、映像供給機器と接続されており、かつ映像信号が流れているかどうかの判定を、例えばある一定期間（少なくとも水平同期信号間以上の間隔）に信号の変化の有無を検知することで行う。もし映像信号が流れているようであれば、その旨を映像制御情報メモリインターフェース部７０４、及び映像信号選択部８０１へ送信する。
【００６７】
図１０（ａ）は、本発明の実施の形態６による映像インターフェース装置における映像信号選択部の処理フロー図である。
図１０（ａ）において、映像信号選択部８０１では、外部から映像切り替え制御信号の入力があれば（ステップＳ１でＹｅｓと判断）、第１〜第３の信号入力判定部７０１〜７０３からの信号入力のうち、所望の映像信号を出力する映像供給機器（チャンネル）から、該所望の映像信号が前記映像信号選択部８０１に入力されているか判断する（ステップＳ２）。
【００６８】
もし、所望の映像信号を出力するチャンネルから映像信号が出力されていれば（ステップＳ２でＹｅｓと判断）、該映像信号が、該所望の映像信号を出力するチャンネルから映像信号選択部８０１に入力されるようチャンネルを変更する（ステップＳ３）。つまり、該映像信号選択部８０１は、外部から入力される映像信号切り替え制御信号によって入力された複数の映像信号のうち、所望の映像信号を出力するように切り替える。
【００６９】
一方、所望の映像信号を出力するチャンネルから映像信号が出力されていなければ（ステップＳ２でＮｏと判断）、つまり、前記第１〜第３の信号入力判定部７０１〜７０３によって信号の入力が無いと判定された映像信号に切り替えるようになった場合、新たな映像信号に切り替えず、現在出力している映像信号をそのまま選択して出力するように制御を行う（ステップＳ４）。
【００７０】
このように本実施の形態６では、信号入力判定部から映像信号選択部に対して、所望の映像信号が入力されたか否かの旨を知らせるようにしたので、所望の映像信号が入力されていない場合はチャンネルを変更しないようにでき、ユーザーは、映像信号が入力されていないチャンネルを選択することなく、とぎれることなくチャンネル変更が可能になる。
なお、本実施の形態６では、３つの映像供給機器から１つのモニター機器にそれぞれ映像信号が入力される例を説明したが、さらに複数の映像供給機器から１つのモニター機器に映像信号が入力される場合でもよい。
また、本実施の形態６では、図８における第１〜第３の信号入力判定部７０１〜７０３を、第１〜第３の映像供給機器１〜３に接続されたか否かを判定する接続判定部としてもよい。
【００７１】
（実施の形態７）
次に本発明の実施の形態７における映像インターフェース装置について説明する。
図９は、本発明の実施の形態７による映像インターフェース装置の構成を示すブロック図であり、実施の形態１及び実施の形態５と同一部分は同一の符号を付けて説明する。
【００７２】
図９において、９０１は、入力処理部１２から出力される複数の映像信号を取り込み、前記外部から入力される映像切り替え制御信号に従って所望の映像信号を出力し、第１〜第３の信号入力判定部７０１〜７０３からの信号入力状況に応じて、次の入力されている映像へ切り替えを行うように制御する映像信号選択部である。
【００７３】
このように構成された受信用映像インターフェース装置９０２の動作について具体的な例を用いて説明する。なお、映像信号選択部９０１以外に関する動作については、実施の形態５と同様であり、その説明を省略する。
第１〜第３の信号入力判定部７０１〜７０３では、映像供給機器と接続されており、かつ映像信号が流れているかどうかの判定を、例えばある一定期間（少なくとも水平同期信号間以上の間隔）に信号の変化の有無を検知することで行う。もし信号が流れているようであれば、その旨を映像制御情報メモリインターフェース部７０４、及び映像信号選択部９０１へ送信する。
【００７４】
図１０（ｂ）は、本発明の実施の形態７による映像インターフェース装置における映像信号選択部の処理フロー図である。
図１０（ｂ）において、映像信号選択部９０１は、外部から映像切り替え制御信号の入力があれば（ステップＳ１１でＹｅｓと判断）、第１〜第３の信号入力判定部７０１〜７０３からの信号入力のうち、所望の映像信号を出力する映像供給機器（チャンネル）から、該所望の映像信号が、前記映像信号選択部９０１に入力されているか判断する（ステップＳ１２）。
【００７５】
もし、所望の映像信号を出力するチャンネルから映像信号が出力されていれば（ステップＳ１２でＹｅｓと判断）、映像信号が、該所望の映像信号を出力するチャンネルから映像信号選択部９０１に入力されるようにチャンネルを変更する（ステップＳ１３）。つまり、該映像信号選択部９０１では、外部から入力される映像信号切り替え制御信号によって入力された複数の映像信号のうち、所望の映像信号を出力するように切り替える。
【００７６】
一方、所望の映像信号を出力するチャンネルから映像信号が出力されていなければ（ステップＳ１２でＮｏと判断）、つまり、前記第１〜第３の信号入力判定部７０１〜７０３によって信号の入力が無いと判定された映像信号に切り替えるようになった場合、新たな映像信号に切り替えずに、次の信号入力判定部によって信号が入力されていると判定されたチャンネルからの映像信号を出力するように制御を行う（ステップＳ１４）。
【００７７】
このように本実施の形態７では、信号入力判定部から映像信号選択部に対して、所望の映像信号が入力されたか否かの旨を知らせるようにしたので、所望の映像信号が入力されていない場合はチャンネルを変更せず、さらに続けて信号が入力されている次のチャンネルへ変更するようにでき、ユーザーは、映像信号が入力されていないチャンネルを選択することなく、とぎれることなくチャンネル変更が可能になる。
なお、本実施の形態７では、３つの映像供給機器から１つのモニター機器にそれぞれ映像信号が入力される例を説明したが、さらに複数の映像供給機器から１つのモニター機器に映像信号が入力される場合でもよい。
また、本実施の形態７では、図９における第１〜第３の信号入力判定部７０１〜７０３を第１〜第３の映像供給機器１〜３に接続されたか否かを判定する接続判定部にしてもよい。
【００７８】
（実施の形態８）
次に本発明の実施の形態８における映像インターフェース装置について説明する。
図１１は、本発明の実施の形態８による映像インターフェース装置の構成を示すブロック図である。
図１１において、１１１２は、例えばカーナビゲーションシステムといった映像供給機器である。
【００７９】
１１０１は、ＤＶＤなどから送られてきた映像信号を信号処理して、モニターに表示できる信号を生成する映像信号生成装置である。
１１１３〜１１１５は、映像供給機器からの映像信号を受けてディスプレイ表示を行う第１〜第３のモニター機器である。
【００８０】
１１１６〜１１１８は、第１〜第３のモニター機器１１１３〜１１１５内にあり、映像供給機器からの映像信号を受けて必要な信号処理を行い、ディスプレイ装置へ映像信号を出力する第１〜第３の受信用映像インターフェース装置である。
１１０２は、各モニター機器１１１３〜１１１５のモニター情報Ａ、Ｂ、Ｃを保持するモニター情報メモリ部である。
１１０８〜１１１０は、それぞれのモニター機器１１１３〜１１１５と映像供給機器１１１２とが接続されているかどうかを判定する第１〜第３の接続判定部である。
【００８１】
１１０３は、映像供給機器１１１２と各モニター機器１１１３〜１１１５が接続されたときに、第１〜第３の接続判定部１１０８〜１１１０から接続情報が入力され、各受信用映像インターフェース装置１１１６〜１１１８より映像制御情報Ａ〜Ｃを受け、モニター情報メモリ部１１０２へ書き込み、またそれぞれのモニター機器１１１３〜１１１５に対応した映像信号処理部へモニター情報をモニター情報メモリ部１１０２から読み出して出力するモニター情報メモリインターフェース部である。
【００８２】
１１０４〜１１０６は、映像信号生成装置１１０１からの映像信号を受け、モニター情報メモリインターフェース部１１０３より送られてくるモニター情報に応じて必要な映像信号処理を行う第１〜第３の映像信号処理部である。
１１０７は、それぞれの映像信号処理部１１０４〜１１０６から出力された映像信号をパラレル／シリアル処理を行うなどの出力処理を行う出力処理部である。
【００８３】
このように構成された送信用映像インターフェース装置１１１１の動作について具体的な例を用いて説明する。
ここで、カーナビゲーションシステムから各座席のモニター機器へ画像の送信を行うシステムを考える。
まず、映像供給機器１１１２において、映像信号生成装置１１０１から地図情報やゲームなどの画像が生成され、送信用映像インターフェース装置１１１１へ送信される。該送信用映像インターフェース装置１１１１では、モニター機器の数に合わせた第１〜第３の映像信号処理部１１０４〜１１０６があり、モニター機器の情報に応じた映像信号処理が行われる。
【００８４】
モニター情報Ａ〜Ｃは、映像供給機器１１１２と第１〜第３のモニター機器１１１３〜１１１５とが接続されたときに、第１〜第３の接続判定部１１０８〜１１１０からの信号に応じて、モニター情報メモリインターフェース部１１０３からモニター情報メモリ部１１０２に取り込まれる。
また、モニター情報メモリインターフェース部１１０３は、モニター情報Ａ〜Ｃを該モニター情報メモリ部１１０２から読み出して、それぞれ第１〜第３の映像信号処理部１１０４〜１１０６へと送信する。
【００８５】
第１〜第３の映像信号処理部１１０４〜１１０６で映像処理された映像信号は、出力処理部１１０７に出力され、該出力処理部１１０７から、第１〜第３の接続判定部１１０８〜１１１０を介して、第１〜第３のモニター機器１１１３〜１１１５へ映像信号が出力される。
該第１〜第３のモニター機器１１１３〜１１１５では、映像信号Ａ〜Ｃが送信されると、ディスプレイ表示装置に映像が表示される。
【００８６】
このように本実施の形態８では、１つの映像供給機器から複数のモニター機器に映像信号を入力する場合において、送信側映像インターフェース装置に、モニター機器の数の映像信号処理部、及び接続判定部を備えたので、複数の映像信号を映像処理し送信することができ、モニター機器の数だけ映像供給機器に映像インターフェース装置を用意することなく、１つの送信用映像インターフェース装置だけで処理が可能になり、映像制御の切り替えを行うことができる。また、部品点数や回路規模、消費電力を削減することができる。
【００８７】
また本実施の形態８では、送信側映像インターフェース装置において、さらにモニター情報メモリ部、及びモニター情報メモリインターフェース部を備えたので、接続判定部からモニター機器との接続情報をモニター情報メモリインターフェース部に送信し、接続されたモニター機器に対応するモニター情報を、モニター情報メモリ部から読み出すことができ、接続されたモニター機器に対応する映像信号のみを映像信号処理し、送信することができる。
なお、本実施の形態８では、１つの映像供給機器から３つのモニター機器にそれぞれ映像信号が入力される例を説明したが、さらに１つの映像供給機器から複数のモニター機器に映像信号が入力される場合でもよい。
【００８８】
（実施の形態９）
次に本発明の実施の形態９における映像インターフェース装置について説明する。
図１２は、本発明の実施の形態９による映像インターフェース装置の構成を示すブロック図であり、実施の形態８と同一部分は同一の符号を付けて説明する。図１２において、１２０１は、モニター情報の中から暗号鍵情報を取り出して暗号鍵の演算や復号鍵との認証を行い、暗号鍵をモニター情報メモリインターフェース部１１０３へ送信する映像暗号化鍵演算部である。
１２０２は、映像暗号化鍵演算部１２０１が暗号鍵を演算するタイミングを制御する映像暗号化鍵演算制御部である。
【００８９】
このように構成された送信用映像インターフェース装置１２０３の動作について具体的な例を用いて説明する。なお、映像暗号化鍵演算部１２０１、及び映像暗号化鍵演算制御部１２０２以外に関する動作については、実施の形態３または８と同様であり、その説明を省略する。
映像暗号化鍵演算制御部１２０２が映像暗号化鍵演算部１２０１を制御することにより、該映像暗号化鍵演算部１２０１は、実施の形態３で説明した映像復号鍵演算制御と同様に、図５のように暗号鍵演算のタイミングをずらして複数のモニター機器との暗号鍵のやりとり、演算、認証を行う。
【００９０】
このように本実施の形態９では、映像暗号化鍵演算部、及び映像暗号化鍵演算制御部を備えたので、映像暗号化鍵演算制御部が、映像暗号化鍵演算部における暗号鍵の演算のタイミングが重ならないように制御することで、映像暗号鍵を演算する回路が１つで済み、回路規模削減することができる。
なお、本実施の形態９では、１つの映像供給機器から３つのモニター機器にそれぞれ映像信号が入力される例を説明したが、さらに１つの映像供給機器から複数のモニター機器に映像信号が入力される場合でもよい。
【００９１】
（実施の形態１０）
次に本発明の実施の形態１０における映像インターフェース装置について説明する。
図１３は、本発明の実施の形態１０による映像インターフェース装置の構成を示すブロック図であり、実施の形態１と同一部分は同一の符号を付けて説明する。
図１３において、受信用映像インターフェース装置１３０４は、映像信号の暗号化に対応していない映像インターフェース装置であるとする。
【００９２】
１３０１は、第１〜第３の送信用映像インターフェース装置５〜７から送られてくる映像制御情報Ａ〜Ｃを取り込み、その中に暗号鍵情報が含まれている場合、暗号非対応信号を発生する暗号非対応信号発信部である。
１３０２は、暗号非対応信号発信部１３０１からの暗号非対応信号を受けてメッセージ信号を生成、出力するメッセージ生成部である。
１３０３は、入力処理部１２から出力される複数の映像信号を取り込み、外部から入力される映像切り替え制御信号に従って所望の映像信号を出力するとともに、外部からの映像切り替え制御信号と暗号非対応信号発信部１３０１からの暗号非対応信号に応じて、映像信号の代わりにメッセージ生成部１３０２からのメッセージを出力する映像信号選択部である。
【００９３】
このように構成された受信用映像インターフェース装置１３０４の動作について具体的な例を用いて説明する。なお、暗号非対応信号発信部１３０１、メッセージ生成部１３０４、及び映像信号選択部１３０３以外に関する動作については、実施の形態１と同様であり、その説明を省略する。
例えば、暗号に対応した映像供給機器からの映像信号を、暗号に対応していないモニター機器で映すと、暗号のかかった状態の映像が表示されてしまう。
【００９４】
本実施の形態１０による映像インターフェース装置では、暗号に対応していないモニター機器４ｈに、暗号に対応している第１〜第３の映像供給機器１〜３が接続されたとき、前記モニター機器４ｈ内の暗号非対応信号発信部１３０１において、第１〜第３の映像供給機器１〜３から送られてくる映像制御情報Ａ〜Ｃを取り込み、その情報の中に暗号鍵が含まれているかどうか検知する。
【００９５】
ここで図１３において、第１の映像供給機器１から送られてくる映像信号Ａに暗号がかかっているとする。また、第１の送信用映像インターフェース装置５から送られてくる映像制御情報Ａには、復号鍵を作るための暗号鍵が含まれている。
【００９６】
暗号非対応信号発信部１３０１では、映像制御情報Ａを取り込んだときに暗号鍵を検知し、暗号非対応信号をメッセージ生成部１３０２、及び映像信号選択部１３０３へ発信する。該映像信号選択部１３０３では、映像切り替え制御信号によって第１の映像供給機器１から送信される映像信号が選択されたとき、前記第１の映像供給機器１から送信される映像信号の代わりに、メッセージ生成部１３０２からくるメッセージを出力する。
従って、モニター機器が暗号鍵に対応していないという旨のメッセージがディスプレイ装置１７に表示される。
【００９７】
このように本実施の形態１０では、暗号非対応信号発生部、及びメッセージ生成部を備え、暗号に対応した映像供給機器からの暗号化された映像が、暗号に対応していないモニター機器に入力されても、暗号化された映像が映されるのでなく、暗号に対応していないといったメッセージが表示されるので、所望の映像信号が表示されない理由をユーザーにわかりやすくすることができる。
なお、本実施の形態１０では、３つの映像供給機器から１つのモニター機器にそれぞれ映像信号が入力される例を説明したが、さらに複数の映像供給機器から１つのモニター機器に映像信号が入力される場合でもよい。
【００９８】
（実施の形態１１）
次に本発明の実施の形態１１における映像インターフェース装置について説明する。
図１４は、本発明の実施の形態１１による映像インターフェース装置の構成を示すブロック図であり、実施の形態１及び実施の形態１０と同一部分は同一の符号を付けて説明する。
図１４において、受信用映像インターフェース装置１４０２は、映像信号の暗号化に対応していないインターフェース装置であるとする。
１４０１は、入力処理部１２から出力される複数の映像信号を取り込み、外部から入力される映像切り替え制御信号に従って所望の映像信号を出力するとともに、暗号非対応信号発信部１３０１から出力される暗号非対応信号に応じて、映像信号の選択を制御する映像信号選択部である。
【００９９】
このように構成された受信用映像インターフェース装置１４０２の動作について具体的な例を用いて説明する。なお、映像信号選択部１４０１以外に関する動作については、実施の形態１または３と同様であり、その説明を省略する。
例えば、暗号に対応した映像供給機器からの映像信号を、暗号に対応していないモニター装置で映すと、暗号のかかった状態の映像が表示されてしまう。
【０１００】
本実施の形態１１による映像インターフェース装置では、暗号に対応していない第１〜第３のモニター機器１〜３に、暗号に対応している映像供給機器１４０２が接続されたとき、暗号非対応信号発信部１３０１において、前記第１〜第３の映像供給機器１〜３から送られてくる映像制御情報Ａ〜Ｃを取り込み、その情報の中に暗号鍵が含まれているかどうか検知する。
【０１０１】
図１４において、第１の映像供給機器１から送られてくる映像信号Ａに暗号がかかっているとする。また、第１の送信用映像インターフェース装置５から送られてくる映像制御情報Ａには、復号鍵を作るための暗号鍵が含まれている。
暗号非対応信号発信部１３０１では映像制御情報Ａを取り込んだときに暗号鍵を検知し、映像信号選択部１４０１へ発信する。該映像信号選択部１４０１では、外部から入力される映像信号切り替え制御信号によって入力された複数の映像信号のうち、所望の映像信号を出力するように切り替える。
一方、暗号非対応信号発信部１３０１によって信号が暗号化されていると判定された映像信号に切り替えるようになった場合、映像信号選択部１３０３は、新たな映像信号に切り替えずに、現在出力している映像信号をそのまま選択して出力するように制御を行う。
【０１０２】
このように本実施の形態１１では、暗号非対応信号発信部、及び映像信号選択部を備え、信号が暗号化されているときは新たな映像信号に切り替えずに現在出力している映像信号をそのまま選択するように制御するようにしたので、ユーザーは、暗号化されているチャンネルを選択することなく、とぎれることなくチャンネル変更することが可能になる。
なお、本実施の形態１１では、３つの映像供給機器から１つのモニター機器にそれぞれ映像信号が入力される例を説明したが、さらに複数の映像供給機器から１つのモニター機器に映像信号が入力される場合でもよい。
【０１０３】
（実施の形態１２）
次に本発明の実施の形態１２における映像インターフェース装置について説明する。
図１５は、本発明の実施の形態１２による映像インターフェース装置の構成を示すブロック図であり、実施の形態１及び実施の形態５と同一部分は同一の符号を付けて説明する。
図１５において、１５０１は、第１〜第３の信号入力判定部７０１〜７０３から送信される判定信号を入力し、どの映像供給機器から映像が入力されているか判断し、映像制御情報メモリインターフェース部７０４からの映像制御情報によって、どの映像信号処理部が入力されている映像信号に対して必要な映像信号処理部かを判断し、映像制御情報と共に必要な映像信号処理部の選択信号を送信する映像信号処理選択部である。
【０１０４】
１５０２は映像信号処理群であり、例えば暗号化された映像の復号化処理を行う第１の映像信号処理部１５０３、色差信号（Ｙ、Ｐｂ、Ｐｒ）を色信号（Ｒ、Ｇ、Ｂ）に変換する第２の映像信号処理部１５０４、及び入力された映像の階調を補正する第３の映像信号処理部１５０５から構成されている。
また、前記映像信号処理群１５０２は、映像信号処理選択部１５０１から送信される映像信号処理部の選択信号によって、必要でない映像信号処理部の動作を止めてしまう制御を行う。
【０１０５】
このように構成された受信用映像インターフェース装置１５０６の動作について具体的な例を用いて説明する。なお、映像信号処理選択部１５０１、映像信号処理群１５０２、及び第１〜第３の映像信号処理部１５０３〜１５０５以外に関する動作については、実施の形態１または５と同様であり、その説明を省略する。
ここで、第１の映像供給機器１は、暗号化のみが行われた映像信号を出力する映像供給機器とする。また、第２の映像供給機器２は、色信号（Ｒ、Ｇ、Ｂ）を色差信号（Ｙ、Ｐｂ、Ｐｒ）に変換した映像信号を出力する映像供給機器とする。
【０１０６】
また、第１の映像供給機器１が接続されて、映像信号の入力も行われており、一方、第２の映像供給機器２は接続されていないとする。
第１の信号入力判定部７０１は、第１の映像供給機器１からの映像信号入力を受け、映像信号処理選択部１５０１へ映像信号が入力されている旨の判定信号を送信する。該映像信号処理選択部１５０１は、映像信号処理群１５０２内の第１の映像信号処理部１５０３が動作するように制御を行う。
第２の信号入力判定部７０２は、第２の映像供給機器２が接続されていないため、映像信号処理選択部１５０１へ映像信号が入力されていない旨の判定信号を送信する。該映像信号処理選択部１５０１は、映像信号処理群１５０２内の第２の映像信号処理部１５０４が動作しないように制御を行う。
【０１０７】
このように本実施の形態１２では、映像信号処理選択部、及び複数の映像信号処理部からなる映像信号処理群を備えたので、映像信号処理選択部から映像信号処理部に判定信号を送信することにより、接続されている或いは映像信号が入力されている映像供給機器に必要な映像信号処理だけが動作し、それ以外の映像信号処理部は動作しないように制御でき、消費電力を削減することが可能になる。なお、本実施の形態１２では、３つの映像供給機器から１つのモニター機器にそれぞれ映像信号が入力される例を説明したが、さらに複数の映像供給機器から１つのモニター機器に映像信号が入力される場合でもよい。
また、本実施の形態１２では、映像信号処理群に３つの映像信号処理部が含まれる例を説明したが、さらに複数の映像信号処理部が含まれるようにしてもよい。
【０１０８】
（実施の形態１３）
次に本発明の実施の形態１３における映像インターフェース装置について説明する。
図１６は、本発明の実施の形態１３による映像インターフェース装置の構成を示すブロック図であり、実施の形態１、５、８及び１２と同一部分は同一の符号を付けて説明する。
図１６において、１５０７は、前記モニター情報メモリインターフェース部１１０３より入力されたモニター情報Ａ〜Ｃ、及び前記信号入力判定部１５１２から入力された接続信号を入力し、映像信号処理群の中から必要な映像信号処理部を選択し制御を行う映像信号処理選択部である。
【０１０９】
１５０８は、第１〜第３の映像信号処理部１５０９〜１５１１から構成される映像信号処理群であり、映像信号生成装置１１０１によって生成された映像信号を入力し、前記映像信号処理選択部１５０７からの制御信号に基づいて映像信号処理を行う。
１５１２は、映像信号生成装置１１０１からの接続信号の入力があるか否かを判定する信号入力判定部である。
【０１１０】
このように構成された送信用映像インターフェース装置１５１３の動作について具体的な例を用いて説明する。なお、映像信号処理選択部１５０７、映像信号処理群１５０８、第１〜第３の映像信号処理部１５０９〜１５１１、及び信号入力判定部１５１２以外に関する動作については、実施の形態８と同様であり、その説明を省略する。
信号入力判定部１５１２は、映像信号生成装置１１０１から映像信号が入力されると、映像信号が入力されている旨の判定信号を映像信号処理選択部１５０７、及び映像信号処理群１５０８に送信する。
【０１１１】
前記映像信号処理選択部１５０７は信号入力判定部１５１２から判定信号を受け取ると、モニター情報メモリインターフェース部１１０３からの制御信号によって、第１〜第３の映像信号処理部１５０９〜１５１１の中から、必要な映像信号処理部を判断し選択する。
前記映像信号処理選択部１５０７により選択された映像信号処理部で映像処理された映像信号は、出力処理部１１０７に出力され、該出力処理部１１０７から、第１〜第３の接続判定部１１０８〜１１１０を介して、第１〜第３のモニター機器１１１３〜１１１５へ映像信号が出力される。
【０１１２】
このように本実施の形態１３では、１つの映像供給機器から複数のモニター機器に映像信号を入力する場合において、送信側映像インターフェース装置に、モニター機器の数の映像信号処理部からなる映像信号処理群、及び接続判定部を備えたので、複数の映像信号を映像処理し送信することができ、モニター機器の数だけ映像供給機器に映像インターフェース装置を用意することなく、１つの送信用映像インターフェース装置だけで処理が可能になり、映像制御の切り替えを行うことができる。また、部品点数や回路規模、消費電力を削減することができる。
【０１１３】
また本実施の形態１３では、送信側映像インターフェース装置において、さらにモニター情報メモリ部、及びモニター情報メモリインターフェース部を備えたので、接続判定部からモニター機器との接続情報をモニター情報メモリインターフェース部に送信し、接続されたモニター機器に対応するモニター情報を、モニター情報メモリ部から読み出すことができ、接続されたモニター機器に対応する映像信号のみを映像信号処理し、送信することができる。
【０１１４】
また本実施の形態１３では、映像信号処理選択部、及び複数の映像信号処理部からなる映像信号処理群を備えたので、映像信号処理選択部から映像信号処理部に制御信号を送信することにより、接続されている或いは映像信号が入力されている映像供給機器に必要な映像信号処理だけが動作し、それ以外の映像信号処理部は動作しないように制御でき、消費電力を削減することが可能になる。
【０１１５】
なお、本実施の形態１３では、１つの映像供給機器から３つのモニター機器にそれぞれ映像信号が入力される例を説明したが、さらに１つの映像供給機器から複数のモニター機器に映像信号が入力される場合でもよい。
【０１１６】
また、本実施の形態１３では、映像信号処理群に３つの映像信号処理部が含まれる例を説明したが、さらに複数の映像信号処理部が含まれるようにしてもよい。
【０１１７】
【発明の効果】
本発明の請求項１による映像インターフェース装置は、複数個の映像供給機器と１つのモニター機器とが接続され、前記複数個の映像供給機器から複数の映像信号、及び映像制御情報を受信する映像インターフェース装置において、前記複数の映像信号を受け取り、入力処理を行う複数個の入力処理部と、該入力処理部が入力処理した映像信号、及び外部から入力される映像切り替え制御信号を受け取り、該映像切り替え制御信号に対応する映像信号を選択し出力する映像信号選択部と、前記複数の映像制御情報を保持する映像制御情報メモリ部と、前記複数個の映像供給機器から送信される前記複数の映像制御情報を前記映像制御情報メモリ部に書き込み、また、前記映像切り替え制御信号に対応する映像制御情報を前記映像制御情報メモリ部より読み出し、出力する映像制御情報メモリインターフェース部と、該映像制御情報メモリインターフェース部から送信される映像制御情報に基づいて、前記映像信号選択部から送信される前記映像信号の信号処理を行う映像信号処理部と、を備えるようにしたので、複数の映像供給機器から複数種類の映像信号が入力されていても、１つの映像インターフェース装置のみを使うことで、チャンネルの切り替えや、映像制御の切り替えを行うことができ、部品点数や回路規模、消費電力を削減することができるという効果がある。
【０１１８】
本発明の請求項２は、請求項１記載の映像インターフェース装置において、前記複数個の映像供給機器と前記１つのモニター機器間における映像信号の伝送は、デジタル伝送であるようにしたので、映像信号の伝送容量を大きくすることができるという効果がある。
【０１１９】
本発明の請求項３による映像インターフェース装置は、複数個の映像供給機器と１つのモニター機器とが接続され、前記複数個の映像供給機器から複数の映像信号、映像制御情報、及び映像暗号鍵化鍵情報を受信する映像インターフェース装置において、前記複数の映像信号にコピーガードが必要な場合、該複数の映像信号を受け取り、入力処理を行う複数個の入力処理部と、該入力処理部が入力処理した映像信号、及び外部から入力される映像切り替え制御信号を受け取り、該映像切り替え制御信号に対応する映像信号を選択し出力する映像信号選択部と、前記複数個の映像供給機器から複数の映像暗号化鍵情報を受け取り、該複数の映像暗号化鍵情報に基づいて、複数の映像復号化鍵情報を演算する複数の映像復号化鍵演算部と、前記複数の映像制御情報、及び演算された前記複数の映像復号化鍵情報を保持する映像制御情報メモリ部と、前記複数個の映像供給機器から送信される前記複数の映像制御情報、及び前記複数の映像復号化鍵演算部から送信される前記複数の映像復号化鍵情報を前記映像制御情報メモリ部に書き込み、また、前記映像切り替え制御信号に対応する前記映像制御情報、及び前記映像復号化鍵情報を前記映像制御情報メモリ部より読み出して出力する映像制御情報メモリインターフェース部と、該映像制御情報メモリインターフェース部から送信される前記映像制御情報、及び前記映像復号化鍵情報に基づいて、前記映像信号選択部から送信される前記映像信号に対し暗号復号化処理を含む信号処理を行う映像信号処理部と、を備えるようにしたので、必要な映像信号の映像復号化のみ映像信号処理で行われるようにすることができ、他の使わない映像信号の復号化回路が必要でなくなり、回路規模削減することができるという効果がある。
【０１２０】
本発明の請求項４による映像インターフェース装置は、複数個の映像供給機器と１つのモニター機器とが接続され、前記複数個の映像供給機器から複数の映像信号、映像制御情報、及び映像暗号化鍵情報を受信する映像インターフェース装置において、前記複数の映像信号にコピーガードが必要な場合、該複数の映像信号を受け取り、入力処理を行う複数個の入力処理部と、該入力処理部が入力処理した映像信号、及び外部から入力される映像切り替え制御信号を受け取り、該映像切り替え制御信号に対応する映像信号を選択し出力する映像信号選択部と、前記複数の映像制御情報を保持する映像制御情報メモリ部と、前記複数個の映像供給機器から前記複数の映像暗号化鍵情報を受け取り、該複数の映像暗号化鍵情報に基づいて前記複数の映像復号化鍵情報を演算する１つの映像復号化鍵演算部と、前記映像復号化部の動作のタイミングを水平同期信号に応じて制御し、該制御に関する情報を前記映像制御情報メモリインターフェース部へ出力する映像復号化鍵演算制御部と、前記複数個の映像供給機器から送信される複数の映像制御情報、及び前記複数の映像復号化鍵演算部から送信される映像復号化鍵情報を、前記映像復号化鍵演算制御部からの許可信号に応じて入力し、前記映像制御情報メモリ部に書き込み、また、前記映像切り替え制御信号に応じて必要な映像制御情報と映像復号化鍵情報を映像制御情報メモリ部より読み出して出力する映像制御情報メモリインターフェース部と、該映像制御情報メモリインターフェース部より送信される映像制御情報、及び映像復号化鍵情報に基づいて、前記映像信号選択部より送信される映像信号に対し暗号復号化処理を含む信号処理を行う映像信号処理部と、を備えるようにしたので、複数の復号鍵を順番に復号するように制御することにより、映像復号鍵を演算する回路が１つですみ、回路規模削減することができるという効果がある。
【０１２１】
本発明の請求項５は、請求項４記載の映像インターフェース装置において、前記モニター機器の該複数の画面に前記複数の映像供給機器からの映像信号を表示する場合、前記映像復号化鍵演算制御部は、映像表示期間以外のタイミングで映像復号化鍵演算を行うよう、前記映像復号化鍵演算部、及び前記映像制御情報メモリインターフェース部を制御するようにしたので、映像復号鍵を演算する回路が１つですみ、回路規模削減することができるとともに、外部から入力される画像配置信号により１つの画面に複数の映像を表示する場合でも映像信号が乱れることなく復号鍵を演算することができるという効果がある。
【０１２２】
本発明の請求項６は、請求項１記載の映像インターフェース装置において、複数個の映像供給機器との接続を判定し、該映像供給機器と接続された場合には接続信号を出力し、該映像供給機器と接続が外れた場合には非接続信号を出力する複数個の接続判定部を備え、前記映像制御情報メモリインターフェース部は、前記接続判定部から出力される前記接続信号、及び前記非接続信号に応じて、前記映像制御情報メモリ部に前記映像制御情報を書きこむアドレスを制御するようにしたので、映像信号が流れている映像供給機器から送信される映像制御情報のみを映像制御情報メモリ部に書き込むことにより、映像制御情報メモリ部のメモリ量を有効に使うことができ、メモリ量削減をすることができるという効果がある。
【０１２３】
本発明の請求項７は、請求項１記載の映像インターフェース装置において、前記モニター機器に接続された前記複数個の映像供給機器からの映像信号の有無を判定し、該映像信号が流れている場合には接続信号を出力し、該映像信号が流れていない場合には非接続信号を出力する複数個の信号入力判定部を備え、前記映像制御情報メモリインターフェース部は、前記信号入力判定部から出力される前記接続信号、及び前記非接続信号に応じて、前記映像制御情報メモリ部に書きこむアドレスを制御するようにしたので、接続されている映像供給機器から送信される映像制御情報のみを映像制御情報メモリ部に書き込むことにより、映像制御情報メモリ部のメモリ量を有効に使うことができ、メモリ量削減をすることができるという効果がある。
【０１２４】
本発明の請求項８は、請求項６記載の映像インターフェース装置において、前記映像信号選択部は、前記接続判定部から出力された前記接続信号、及び前記非接続信号を入力し、前記映像切り替え制御信号によって、接続されていない映像供給機器による映像信号が選択された場合、映像信号の切り替えを行わず、現在表示されている映像信号を続けて出力するようにしたので、ユーザーは、接続されていないチャンネルを選択することなく、とぎれることなくチャンネル変更をすることができるという効果がある。
【０１２５】
本発明の請求項９は、請求項６記載の映像インターフェース装置において、前記映像信号選択部は、前記接続判定部から出力された前記接続信号、及び前記非接続信号を入力し、前記映像切り替え制御信号によって、接続されていない映像供給機器からの映像信号が選択された場合、次に接続されている映像供給機器による映像信号を検索し、該映像信号を出力するようにしたので、所望の映像信号が流れていない場合でもユーザーは接続されていない映像供給機器を選択することなく、とぎれることなくチャンネル変更をすることができるという効果がある。
【０１２６】
本発明の請求項１０は、請求項７記載の映像インターフェース装置において、前記映像信号選択部は、前記入力信号入力判定部から出力された前記接続信号、及び前記非接続信号を入力し、前記映像切り替え制御信号によって、映像信号が流れていない映像供給機器による映像信号が選択された場合、映像信号の切り替えを行わず、現在表示されている映像信号を続けて出力するようにしたので、ユーザーは、映像信号が流れていない映像供給機器を選択することなく、とぎれることなくチャンネル変更をすることができるという効果がある。
【０１２７】
本発明の請求項１１は、請求項７記載の映像インターフェース装置において、前記映像信号選択部は、前記信号入力判定部から出力された前記接続信号、及び前記非接続信号を入力し、前記映像切り替え制御信号によって、映像信号が流れていない映像供給機器による映像信号が選択された場合、次に映像信号が流れている映像供給機器による映像信号を検索し、該映像信号を出力するようにしたので、所望の映像信号が流れていない場合でもユーザーは映像信号が流れていない映像供給機器を選択することなく、とぎれることなくチャンネル変更をすることができるという効果がある。
【０１２８】
本発明の請求項１２による映像インターフェース装置は、１つの映像供給機器と複数個のモニター機器とが接続され、映像信号生成部で生成された映像信号を前記１つの映像供給機器から複数個のモニター機器へ送信する映像インターフェース装置において、前記複数個のモニター機器から送信される複数個のモニター情報を保持するモニター情報メモリ部と、前記複数個のモニター機器との接続を判定し、該接続に関する情報を出力する複数個の接続判定部と、前記複数個の接続判定部から送信される該接続に関する情報に基づいて、接続されている複数のモニター機器からモニター情報を入力し、前記モニター情報メモリ部へ書き込み、また、必要なモニター情報を読み出して出力するモニター情報メモリインターフェース部と、前記映像信号生成部によって生成された映像信号を受け取り、前記モニター情報メモリインターフェース部から出力されたモニター情報に基づいて、映像信号処理を行う複数個の映像信号処理部と、該複数個の映像信号処理部からの映像信号を入力し、出力処理を行う出力処理部と、を備えるようにしたので、モニター装置の数だけ映像インターフェース装置を用意することなく、１つの映像インターフェース装置だけで処理が可能になり、映像制御の切り替えを行うことができ、部品点数や回路規模、消費電力を削減することができるという効果がある。
【０１２９】
本発明の請求項１３は、請求項１２記載の映像インターフェース装置において、１つの映像供給機器と複数個のモニター機器間における映像信号の伝送は、デジタル伝送であるようにしたので、映像信号の伝送容量を大きくすることができるという効果がある。
【０１３０】
本発明の請求項１４による映像インターフェース装置は、１つの映像供給機器と複数個のモニター機器とが接続され、映像信号生成部で生成された映像信号を前記１つの映像供給機器から前記複数個のモニター機器へ送信する映像インターフェース装置において、前記複数個のモニター機器からの複数個のモニター情報を保持するモニター情報メモリ部と、前記複数個のモニター機器との接続を判定し、該接続に関する情報を出力する複数個の接続判定部と、前記複数個のモニター機器より複数の映像暗号化鍵情報を受け取り、該複数の映像暗号化鍵情報に基づいて、前記複数の映像暗号化鍵情報を演算する１つの映像暗号化鍵演算部と、前記映像暗号化鍵演算部の動作のタイミングを水平同期信号に応じて制御し、該制御に関する情報をモニター情報メモリインターフェース部へ出力する映像暗号化鍵演算制御部と、前記複数個の接続判定部から送信される前記接続に関する情報に基づいて、接続されている前記複数のモニター機器からモニター情報を入力し、また、前記映像暗号化鍵演算部から送信される映像暗号化鍵情報を前記映像暗号化鍵演算制御部からの許可信号に応じて入力し、前記モニター情報メモリ部へ書き込み、また必要なモニター情報を読み出して出力するモニター情報メモリインターフェース部と、前記映像信号生成部で生成された映像信号を入力し、前記モニター情報メモリインターフェース部から出力されたモニター情報に基づいて、映像信号処理を行う複数個の映像信号処理部と、該複数個の映像信号処理部からの映像信号を入力し、出力処理を行う出力処理部とを備え、前記映像暗号化鍵演算部は、前記モニター機器に接続された順にタイミングをずらして暗号化鍵を演算し、また、該タイミングをずらした時間に応じて暗号化や復号化の制御を行うようにしたので、複数の映像暗号鍵を演算する回路が１つですみ、回路規模削減することができるという効果がある。
【０１３１】
本発明の請求項１５による映像インターフェース装置は、複数個の映像供給機器と１つのモニター機器とが接続され、前記複数個の映像供給機器から複数の映像信号、及び映像制御情報を送信される映像インターフェース装置において、前記複数個の映像供給機器のうち、一部の映像供給機器より出力される映像信号にコピーガードが必要な場合、前記複数の映像信号を受け取り、入力処理を行う複数個の入力処理部と、該入力処理部が入力処理した映像信号、及び外部から入力される映像切り替え制御信号を受け取り、該映像切り替え制御信号に対応する映像信号を選択し出力する映像信号選択部と、前記複数の映像制御情報を保持する映像制御情報メモリ部と、前記モニター機器が暗号に対応していない旨のメッセージ映像信号を生成するメッセージ生成部と、前記複数個の映像供給機器のうち、コピーガードが必要な映像信号を出力する映像供給機器より送信される映像暗号化鍵情報を入力し、前記メッセージ生成部に映像信号を出力するように制御し、また、その情報を前記映像信号選択部へ送信する暗号非対応信号発信部と、前記複数個の映像供給機器から送信されてくる複数の映像制御情報を入力し、前記映像制御情報メモリ部に書き込み、また、前記映像切り替え制御信号に応じて必要な映像制御情報を映像制御情報メモリ部より読み出して出力する映像制御情報メモリインターフェース部と、該映像制御情報メモリインターフェース部より入力された映像制御情報に基づいて、前記映像信号選択部より入力される映像信号に対し信号処理を行う映像信号処理部を備え、前記映像信号選択部は、コピーガードが必要な映像信号を出力する映像供給機器からの映像信号が選択された場合に、前記メッセージ生成部より送信された前記メッセージ映像信号を出力するようにしたので、暗号に対応した映像供給機器からの暗号化された映像が、暗号に対応していないモニター機器に入力されても、暗号化された映像が映されるのでなく、暗号に対応していないといったメッセージが表示されるので、所望の映像信号が表示されない理由をユーザーにわかりやすくすることができるという効果がある。
【０１３２】
本発明の請求項１６による映像インターフェース装置は、複数個の映像供給機器と１つのモニター装置とが接続され、前記複数個の映像供給機器から複数の映像信号、映像制御情報、及び映像暗号化鍵情報が送信される映像インターフェース装置において、前記複数個の映像供給機器のうち、一部の映像供給機器より出力される映像信号にコピーガードが必要な場合、前記複数の映像信号を受け取り、入力処理を行う複数個の入力処理部と、該入力処理部が入力処理した映像信号、及び外部から入力される映像切り替え制御信号を受け取り、該映像切り替え制御信号に対応する映像信号を選択して出力する映像信号選択部と、前記複数の映像制御情報を保持する映像制御情報メモリ部と、前記複数個の映像供給機器のうち、コピーガードが必要な映像信号を出力する映像供給機器より送信される映像暗号化鍵情報を入力し、該映像暗号化鍵情報を前記映像信号選択部へ送信する暗号非対応信号発信部と、前記複数個の映像供給機器から送信される複数の映像制御情報を入力し、前記映像制御情報メモリ部に書き込み、また、前記映像切り替え制御信号に応じて必要な映像制御情報を前記映像制御情報メモリ部より読み出し、出力する映像制御情報メモリインターフェース部と、該映像制御情報メモリインターフェース部より入力された映像制御情報に基づいて、前記映像信号選択部より入力される映像信号に対し信号処理を行う映像信号処理部とを備え、前記映像信号選択部は、コピーガードが必要な映像信号を出力する映像供給機器からの映像信号が選択された場合、映像信号の切り替えを行わず、現在表示されている映像信号を続けて出力するようにしたので、ユーザーは、暗号化されているチャンネルを選択することなく、とぎれることなくチャンネル変更することができるという効果がある。
【０１３３】
本発明の請求項１７は、請求項１６記載の映像インターフェース装置において、前記映像信号選択部は、コピーガードが必要な映像信号を出力する映像供給機器からの映像信号が選択された場合、次に映像信号の入力がある映像供給機器を検索し、該映像供給機器からの映像信号を出力するようにしたので、ユーザーはとぎれることなくチャンネル変更することができるという効果がある。
【０１３４】
本発明の請求項１８による映像インターフェース装置は、複数個の映像供給機器と１つのモニター装置とが接続され、前記複数個の映像供給機器から複数の映像信号、及び映像制御情報が送信される映像インターフェース装置において、前記複数種類の映像信号を受け取り、入力処理を行う複数個の入力処理部と、該入力処理部が入力処理した映像信号、及び外部から入力される映像切り替え制御信号を受け取り、該映像切り替え制御信号に対応する映像信号を選択し出力する映像信号選択部と、前記複数の映像制御情報を保持する映像制御情報メモリ部と、前記複数個の映像供給機器から送信される前記複数の映像制御情報を入力し、前記映像制御情報メモリ部に書き込み、また、前記映像切り替え制御信号に応じて必要な映像制御情報を前記映像制御情報メモリ部より読み出し、出力する映像制御情報メモリインターフェース部と、前記モニター機器と接続された前記複数個の映像供給機器からの映像信号の有無を判定し、映像信号が流れている場合には接続信号を出力し、映像信号が流れていない場合には非接続信号を出力する複数個の信号入力判定部と、前記映像制御情報メモリインターフェース部より入力された映像制御情報、及び前記信号入力判定部から入力された接続信号を入力し、映像信号処理群の中から必要な映像信号処理部を選択し、制御を行う映像信号処理選択部と、該映像信号処理選択部からの制御信号に基づいて、前記映像信号選択部より入力される映像信号の信号処理を行う複数個の映像信号処理部を有する映像信号処理群とを備え、前記映像信号処理選択部は、実際に使われていない前記映像信号処理部の動作を完全に停止するようにしたので、接続されて映像信号が流れている映像供給機器に必要な映像信号処理部だけを動作させ、それ以外の映像信号処理部は動作しないように制御でき、消費電力を削減することができるという効果がある。
【０１３５】
本発明の請求項１９による映像インターフェース装置は、１つの映像供給機器と複数個のモニター機器とが接続され、映像信号生成部で生成された映像信号を前記１つの映像供給機器から前記モニター機器へ送信する映像インターフェース装置において、前記複数個のモニター機器からの複数個のモニター情報を保持するモニター情報メモリ部と、前記複数個のモニター機器との接続を判定し、該接続に関する情報を出力する複数個の接続判定部と、該複数個の接続判定部から送信される前記接続に関する情報に基づいて、接続されている前記複数のモニター機器からモニター情報を入力し、前記モニター情報メモリ部へ書き込み、また必要なモニター情報を読み出して出力するモニター情報メモリインターフェース部と、映像供給機器からの映像信号の有無を判定し、映像信号が流れている場合には接続信号を出力し、映像信号が流れていない場合には非接続信号を出力する信号入力判定部と、該モニター情報メモリインターフェース部より入力された前記モニター情報、及び前記信号入力判定部から入力された前記接続信号を入力し、映像信号処理群の中から必要な映像信号処理部を選択し、制御を行う映像信号処理選択部と、前記映像信号生成部によって生成された映像信号を入力し、前記映像信号処理選択部からの制御信号に基づいて、映像信号処理を行う複数個の映像信号処理部を有する映像信号処理群と、該映像信号処理群からの映像信号を入力し、出力処理を行う出力処理部とを備え、前記映像信号処理選択部は、実際に使われていない前記映像信号処理部の動作を完全に停止するようにしたので、接続されているモニター機器に必要な映像信号処理部だけを動作させ、それ以外の映像信号処理部は動作しないように制御でき、消費電力を削減することができるという効果がある。
【図面の簡単な説明】
【図１】本発明の実施の形態１による映像インターフェース装置の全体構成を示すブロック図である。
【図２】本発明の実施の形態２による映像インターフェース装置の全体構成を示すブロック図である。
【図３】本発明の実施の形態３による映像インターフェース装置の全体構成を示すブロック図である。
【図４】本発明の実施の形態４による映像インターフェース装置の全体構成を示すブロック図である。
【図５】本発明の実施の形態３による映像インターフェース装置における復号鍵演算（ａ）及び書き込み（ｂ）のタイミング図である。
【図６】本発明の実施の形態４による映像インターフェース装置における復号鍵演算（ａ）及び書き込み（ｂ）のタイミング図である。
【図７】本発明の実施の形態５による映像インターフェース装置の全体構成を示すブロック図である。
【図８】本発明の実施の形態６による映像インターフェース装置の全体構成を示すブロック図である。
【図９】本発明の実施の形態７による映像インターフェース装置の全体構成を示すブロック図である。
【図１０】本発明の実施の形態６及び実施の形態７による映像インターフェース装置の映像信号選択部における処理フロー図（ａ）及び（ｂ）である。
【図１１】本発明の実施の形態８による映像インターフェース装置の全体構成を示すブロック図である。
【図１２】本発明の実施の形態９による映像インターフェース装置の全体構成を示すブロック図である。
【図１３】本発明の実施の形態１０による映像インターフェース装置の全体構成を示すブロック図である。
【図１４】本発明の実施の形態１１による映像インターフェース装置の全体構成を示すブロック図である。
【図１５】本発明の実施の形態１２による映像インターフェース装置の全体構成を示すブロック図である。
【図１６】本発明の実施の形態１３による映像インターフェース装置の全体構成を示すブロック図である。
【図１７】従来の映像インターフェース装置の全体構成を示すブロック図である。
【符号の説明】
１〜３、１１１２、１２０３、１５１４、１６０１〜１６０３　映像供給機器
５〜７、１１１１、１２０４、１５１３、１６０５〜１６０７　送信用映像インターフェース装置
１１、２０５、３０４、４０２、７０５、８０２、９０２、１１１６〜１１１８、１３０４、１４０２、１５０６、１６０８、１６１２、１６１６　　受信用映像インターフェース装置
４ａ〜ｊ、１１１３〜１１１５、１６０４　モニター機器
１２、１６０９、１６１３、１６１７　入力処理部
１３、８０１、９０１、１３０３、１４０１　映像信号選択部
１４、２０１、３０１、７０４、１６１０、１６１４、１６１８　映像制御情報メモリインターフェース部
１５　映像制御情報メモリ部
１６、１１０４〜１１０６、１５０３〜１５０５、１５０９〜１５１１、１６１１、１６１５、１６１９　映像信号処理部
１７、１６１２　ディスプレイ表示装置
２０２〜２０４、３０２　映像復号鍵演算部
３０３、４０１　映像復号鍵演算制御部
７０１〜７０３、１５１２　信号入力判定部
１１０１　映像信号生成装置
１１０２　モニター情報メモリ部
１１０３　モニター情報メモリインターフェース部
１１０７　出力処理部
１１０８〜１１１０　接続判定部
１２０１　映像暗号鍵演算部
１２０２　映像暗号鍵演算制御部
１３０１　暗号非対応信号発信部
１３０２　メッセージ生成部
１５０１、１５０７　映像信号処理選択部
１５０２、１５０８　映像信号処理群
１６２０　映像信号選択装置
【図１】
2004040208.tif 000003
【図２】
2004040208.tif 000004
【図３】
2004040208.tif 000005
【図４】
2004040208.tif 000006
【図５】
2004040208.tif 000007
【図６】
2004040208.tif 000008
【図７】
2004040208.tif 000009
【図８】
2004040208.tif 000010
【図９】
2004040208.tif 000011
【図１０】
2004040208.tif 000012
【図１１】
2004040208.tif 000013
【図１２】
2004040208.tif 000014
【図１３】
2004040208.tif 000015
【図１４】
2004040208.tif 000016
【図１５】
2004040208.tif 000017
【図１６】
2004040208.tif 000018
【図１７】
2004040208.tif 000019